(57)【要約】  本願は、制御情報検出方法、制御情報送信方法およびデバイスを提供する。検出方法は、端末デバイスが第１の探索空間および第２の探索空間を決定する段階であって、第１の探索空間は、第２の探索空間の一部である、決定する段階と、端末デバイスが第１の探索空間において少なくとも１つの第１タイプのダウンリンク制御情報（ＤＣＩ）を検出する段階と、端末デバイスが第２の探索空間において少なくとも１つの第２タイプのＤＣＩを検出する段階とを備える。ここで、第１タイプのＤＣＩは、第１の時間長のデータ伝送をスケジューリングするために使用され、第２タイプのＤＣＩは、第２の時間長のデータ伝送をスケジューリングするために使用され、第１の時間長は、第２の時間長より短い。本願において説明される方法またはデバイスによれば、レイテンシ要件が低いデータ伝送の場合は、探索空間が比較的小さく、ブラインド検出の数が少ないことによってスケジューリング情報が迅速に取得され得ることから、データ処理速度が改善される。
2020501411.tif 000002
【特許請求の範囲】
【請求項１】
端末デバイスが第１の探索空間および第２の探索空間を決定する段階であって、前記第１の探索空間は、前記第２の探索空間の一部である、決定する段階と、
前記端末デバイスが前記第１の探索空間において少なくとも１つの第１タイプのダウンリンク制御情報ＤＣＩを検出する段階と、
前記端末デバイスが前記第２の探索空間において少なくとも１つの第２タイプのＤＣＩを検出する段階と
を備える制御情報検出方法であって、
前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、方法。
【請求項２】
前記第２の時間長は、１ｍｓであり、
前記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、請求項１に記載の方法。
【請求項３】
前記第１タイプのＤＣＩは、少なくとも第１のＤＣＩを含み、
前記第２タイプのＤＣＩは、少なくとも第２のＤＣＩを含み、
前記第１のＤＣＩの情報ビット数が、前記第２のＤＣＩの情報ビット数と同じである、請求項２に記載の方法。
【請求項４】
前記端末デバイスが前記第２の探索空間において少なくとも１つの第２タイプのＤＣＩを検出する前記段階は、
前記端末デバイスが前記第２の探索空間において少なくともＤＣＩフォーマット１Ａの第２のＤＣＩを検出する段階を含む、請求項３に記載の方法。
【請求項５】
端末デバイスが第１の探索空間を決定する前記段階は、
前記端末デバイスが上位層シグナリングに基づいて前記第１の探索空間を決定する段階であって、前記上位層シグナリングは、前記第１の探索空間の集約レベルおよび制御チャネル候補数のうちの少なくとも一方を示す、決定する段階を含む、請求項１から４の何れか一項に記載の方法。
【請求項６】
前記第１の探索空間は、前記ＰＤＣＣＨ  ＵＥＳＳ内の制御チャネル候補のうちの一部から成る探索空間である、請求項１から５の何れか一項に記載の方法。
【請求項７】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも前記第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項１から５の何れか一項に記載の方法。
【請求項８】
前記端末デバイスが前記第１の探索空間において少なくとも１つの第１タイプのＤＣＩを検出する前記段階は、
前記端末デバイスが前記ＰＤＣＣＨ  ＣＳＳにおいて前記第３のＤＣＩを検出する段階、および、
前記端末デバイスが前記ＰＤＣＣＨ  ＵＥＳＳ内の制御チャネル候補のうちの一部から成る前記探索空間において前記第１のＤＣＩを検出する段階、または、
前記端末デバイスが前記第３のＤＣＩを検出する場合に、前記端末デバイスが前記ＰＤＣＣＨ  ＵＥＳＳ内の制御チャネル候補のうちの一部から成る前記探索空間において前記第１のＤＣＩを検出する段階
を含む、請求項７に記載の方法。
【請求項９】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内のＡ個の制御チャネル候補から成る探索空間、
集約レベル２を有する、前記ＰＤＣＣＨ  ＵＥＳＳ内のＢ個の制御チャネル候補から成る探索空間、
集約レベル４を有する、前記ＰＤＣＣＨ  ＵＥＳＳ内のＣ個の制御チャネル候補から成る探索空間、および、
集約レベル８を有する、前記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項６、７または８に記載の方法。
【請求項１０】
制御情報送信方法であって、
ネットワークデバイスが第１の探索空間および第２の探索空間のうちの少なくとも一方を決定する段階であって、前記第１の探索空間は、前記第２の探索空間の一部である、決定する段階と、
前記ネットワークデバイスが前記少なくとも１つの探索空間において少なくとも１つのダウンリンク制御情報ＤＣＩを送信する段階であって、前記少なくとも１つのＤＣＩは、第１タイプのＤＣＩおよび第２タイプのＤＣＩのうちの少なくとも一方であり、前記第１タイプのＤＣＩは、前記第１の探索空間により搬送され、前記第２タイプのＤＣＩは、前記第２の探索空間により搬送され、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、送信する段階と
を備える方法。
【請求項１１】
前記第２の時間長は、１ｍｓであり、
前記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、請求項１０に記載の方法。
【請求項１２】
前記第１タイプのＤＣＩは、少なくとも第１のＤＣＩを含み、
前記第２タイプのＤＣＩは、少なくとも第２のＤＣＩを含み、
前記第１のＤＣＩの情報ビット数が、前記第２のＤＣＩの情報ビット数と同じである、請求項１１に記載の方法。
【請求項１３】
前記ネットワークデバイスが前記少なくとも１つの探索空間において少なくとも１つのＤＣＩを送信する前記段階は、
前記ネットワークデバイスが前記第２の探索空間において少なくともＤＣＩフォーマット１Ａの第２のＤＣＩを送信する段階を含む、請求項１２に記載の方法。
【請求項１４】
前記ネットワークデバイスが前記第１の探索空間を決定した後、前記方法は更に、
前記ネットワークデバイスが上位層シグナリングを送信する段階を備え、前記上位層シグナリングは、前記第１の探索空間の集約レベルおよび制御チャネル候補数のうちの少なくとも一方を示す、請求項１０から１３の何れか一項に記載の方法。
【請求項１５】
前記第１の探索空間は、前記ＰＤＣＣＨ  ＵＥＳＳ内の制御チャネル候補のうちの一部から成る探索空間である、請求項１０から１４の何れか一項に記載の方法。
【請求項１６】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも前記第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項１０から１４の何れか一項に記載の方法。
【請求項１７】
前記ネットワークデバイスが前記少なくとも１つの探索空間において少なくとも１つのＤＣＩを送信する前記段階は、
前記ネットワークデバイスが前記ＰＤＣＣＨ  ＣＳＳにおいて前記第３のＤＣＩを送信する段階、または、
前記ネットワークデバイスが前記ＰＤＣＣＨ  ＵＥＳＳ内の制御チャネル候補のうちの一部から成る前記探索空間において前記第１のＤＣＩを送信する段階、または、
前記ネットワークデバイスが、前記ＰＤＣＣＨ  ＣＳＳにおいて前記第３のＤＣＩを送信し、前記ＰＤＣＣＨ  ＵＥＳＳ内の制御チャネル候補のうちの一部から成る前記探索空間において前記第１のＤＣＩを送信する段階
を含む、請求項１６に記載の方法。
【請求項１８】
前記ＰＤＣＣＨ  ＵＥＳＳ内の制御チャネル候補のうちの一部から成る前記探索空間は少なくとも、
集約レベル１を有する、前記ＰＤＣＣＨ  ＵＥＳＳ内のＡ個の制御チャネル候補から成る探索空間、または、
集約レベル２を有する、前記ＰＤＣＣＨ  ＵＥＳＳ内のＢ個の制御チャネル候補から成る探索空間、または、
集約レベル４を有する、前記ＰＤＣＣＨ  ＵＥＳＳ内のＣ個の制御チャネル候補から成る探索空間、または、
集約レベル８を有する、前記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、請求項１５、１６または１７に記載の方法。
【請求項１９】
第１の探索空間および第２の探索空間を決定するように構成されている決定ユニットであって、前記第１の探索空間は、前記第２の探索空間の一部である、決定ユニットと、
前記第１の探索空間において少なくとも１つの第１タイプのＤＣＩを検出し、かつ、前記第２の探索空間において少なくとも１つの第２タイプのＤＣＩを検出するように構成されている検出ユニットであって、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、検出ユニットと
を備える端末デバイス。
【請求項２０】
前記第２の時間長は、１ｍｓであり、
前記第２の探索空間は、ＰＤＣＣＨ  ＣＳＳおよびＰＤＣＣＨ  ＵＥＳＳを含む、請求項１９に記載の端末デバイス。
【請求項２１】
前記第１タイプのＤＣＩは、少なくとも第１のＤＣＩを含み、
前記第２タイプのＤＣＩは、少なくとも第２のＤＣＩを含み、
前記第１のＤＣＩの情報ビット数が、前記第２のＤＣＩの情報ビット数と同じである、請求項２０に記載の端末デバイス。
【請求項２２】
前記検出ユニットは更に、前記第２の探索空間において少なくともＤＣＩフォーマット１Ａの第２のＤＣＩを検出するように構成される、請求項２１に記載の端末デバイス。
【請求項２３】
前記決定ユニットは具体的に、上位層シグナリングに基づいて前記第１の探索空間を決定するように構成され、前記上位層シグナリングは、前記第１の探索空間の集約レベルおよび制御チャネル候補数のうちの少なくとも一方を示す、請求項１９から２２の何れか一項に記載の端末デバイス。
【請求項２４】
前記第１の探索空間は、前記ＰＤＣＣＨ  ＵＥＳＳ内の制御チャネル候補のうちの一部から成る探索空間である、請求項１９から２３の何れか一項に記載の端末デバイス。
【請求項２５】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも前記第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項１９から２３の何れか一項に記載の端末デバイス。
【請求項２６】
前記検出ユニットは更に、前記ＰＤＣＣＨ  ＣＳＳにおいて前記第３のＤＣＩを検出すること、および、前記ＰＤＣＣＨ  ＵＥＳＳ内の制御チャネル候補のうちの一部から成る前記探索空間において前記第１のＤＣＩを検出すること、または、前記端末デバイスが前記第３のＤＣＩを検出する場合に、前記ＰＤＣＣＨ  ＵＥＳＳ内の制御チャネル候補のうちの一部から成る前記探索空間において前記第１のＤＣＩを検出することを行うように構成される、請求項２５に記載の端末デバイス。
【請求項２７】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内のＡ個の制御チャネル候補から成る探索空間、
集約レベル２を有する、前記ＰＤＣＣＨ  ＵＥＳＳ内のＢ個の制御チャネル候補から成る探索空間、
集約レベル４を有する、前記ＰＤＣＣＨ  ＵＥＳＳ内のＣ個の制御チャネル候補から成る探索空間、および、
集約レベル８を有する、前記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項２４から２６の何れか一項に記載の端末デバイス。
【請求項２８】
第１の探索空間および第２の探索空間のうちの少なくとも一方を決定するように構成されている処理ユニットであって、前記第１の探索空間は、前記第２の探索空間の一部である、処理ユニットと、
前記少なくとも１つの探索空間において少なくとも１つのダウンリンク制御情報ＤＣＩを送信するように構成されている送信ユニットであって、前記少なくとも１つのＤＣＩは、第１タイプのＤＣＩおよび第２タイプのＤＣＩのうちの少なくとも一方であり、前記第１タイプのＤＣＩは、前記第１の探索空間により搬送され、前記第２タイプのＤＣＩは、前記第２の探索空間により搬送され、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、送信ユニットと
を備えるネットワークデバイス。
【請求項２９】
前記第２の時間長は、１ｍｓであり、
前記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、請求項２８に記載のネットワークデバイス。
【請求項３０】
前記第１タイプのＤＣＩは、少なくとも第１のＤＣＩを含み、
前記第２タイプのＤＣＩは、少なくとも第２のＤＣＩを含み、
前記第１のＤＣＩの情報ビット数が、前記第２のＤＣＩの情報ビット数と同じである、請求項２９に記載のネットワークデバイス。
【請求項３１】
前記送信ユニットは更に、前記第２の探索空間において少なくともＤＣＩフォーマット１Ａの第２のＤＣＩを送信するように構成される、請求項３０に記載のネットワークデバイス。
【請求項３２】
前記送信ユニットは更に、上位層シグナリングを送信するように構成され、前記上位層シグナリングは、前記第１の探索空間の集約レベルおよび制御チャネル候補数のうちの少なくとも一方を示す、請求項２８から３１の何れか一項に記載のネットワークデバイス。
【請求項３３】
前記第１の探索空間は、前記ＰＤＣＣＨ  ＵＥＳＳ内の制御チャネル候補のうちの一部から成る探索空間である、請求項２８から３２の何れか一項に記載のネットワークデバイス。
【請求項３４】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも前記第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項２８から３２の何れか一項に記載のネットワークデバイス。
【請求項３５】
前記送信ユニットは更に、前記ＰＤＣＣＨ  ＣＳＳにおいて前記第３のＤＣＩを送信すること、または、前記ＰＤＣＣＨ  ＵＥＳＳ内の制御チャネル候補のうちの一部から成る前記探索空間において前記第１のＤＣＩを送信すること、または、前記ＰＤＣＣＨ  ＣＳＳにおいて前記第３のＤＣＩを送信し、前記ＰＤＣＣＨ  ＵＥＳＳ内の制御チャネル候補のうちの一部から成る前記探索空間において前記第１のＤＣＩを送信することを行うように構成される、請求項３４に記載の無線通信デバイス。
【請求項３６】
前記ＰＤＣＣＨ  ＵＥＳＳ内の制御チャネル候補のうちの一部から成る前記探索空間は少なくとも、
集約レベル１を有する、前記ＰＤＣＣＨ  ＵＥＳＳ内のＡ個の制御チャネル候補から成る探索空間、または、
集約レベル２を有する、前記ＰＤＣＣＨ  ＵＥＳＳ内のＢ個の制御チャネル候補から成る探索空間、または、
集約レベル４を有する、前記ＰＤＣＣＨ  ＵＥＳＳ内のＣ個の制御チャネル候補から成る探索空間、または、
集約レベル８を有する、前記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、請求項３３から３５の何れか一項に記載のネットワークデバイス。
【請求項３７】
命令を備えるコンピュータ可読記憶媒体であって、前記命令がコンピュータで実行されると、前記コンピュータは、請求項１から９の何れか一項に記載の方法を実行する、または、前記コンピュータは、請求項１０から１８の何れか一項に記載の方法を実行する、コンピュータ可読記憶媒体。
【請求項３８】
コンピュータプログラム製品であって、前記コンピュータプログラム製品がコンピュータで実行されると、前記コンピュータは、請求項１から９の何れか一項に記載の方法を実行する、または、前記コンピュータは、請求項１０から１８の何れか一項に記載の方法を実行する、コンピュータプログラム製品。
【請求項３９】
メモリと、プロセッサと、前記メモリに記憶され、かつ、前記プロセッサで実行され得る、コンピュータプログラムとを備える通信デバイスであって、前記プログラムを実行すると、前記プロセッサは、請求項１から９の何れか一項に記載の方法を実装する、または、請求項１０から１８の何れか一項に記載の方法を実装する、通信デバイス。
【発明の詳細な説明】
【技術分野】
【０００１】
本願は、２０１６年１１月３日に中国特許庁に出願された「ＣＯＮＴＲＯＬ  ＩＮＦＯＲＭＡＴＩＯＮ  ＤＥＴＥＣＴＩＯＮ  ＭＥＴＨＯＤ，  ＣＯＮＴＲＯＬ  ＩＮＦＯＲＭＡＴＩＯＮ  ＳＥＮＤＩＮＧ  ＭＥＴＨＯＤ，  ＡＮＤ  ＤＥＶＩＣＥ」と題する中国特許出願第２０１６１０９５９４７９．０号への優先権を主張するものであり、その全体が参照によって本明細書に組み込まれる。
【０００２】
本願は、無線通信分野、特に、制御情報検出方法、制御情報送信方法およびデバイスに関する。
【背景技術】
【０００３】
ネットワークデバイスは、端末デバイスの変調符号化方式または時間周波数リソース割り当てなどのスケジューリング情報を構成する。加えて、ネットワークデバイスはまた、アップリンク伝送に関連する電力制御コマンド情報を端末デバイスに通知する必要がある。スケジューリング情報および電力制御コマンド情報は、ダウンリンク制御情報（ｄｏｗｎｌｉｎｋ  ｃｏｎｔｒｏｌ  ｉｎｆｏｒｍａｔｉｏｎ、ＤＣＩ）と呼ばれる。
【０００４】
ロングタームエボリューション（ｌｏｎｇ  ｔｅｒｍ  ｅｖｏｌｕｔｉｏｎ、ＬＴＥ）システムにおいて、ネットワークデバイスは主に、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を用いてＤＣＩを搬送する。現在の無線通信システムでは、ＰＤＣＣＨおよび進化型物理ダウンリンク制御チャネル（ｅｎｈａｎｃｅｄ  ＰＤＣＣＨ、ｅＰＤＣＣＨ）のどちらについても、ＤＣＩ伝送中の伝送時間間隔（ｔｒａｎｓｍｉｓｓｉｏｎ  ｔｉｍｅ  ｉｎｔｅｒｖａｌ、ＴＴＩ）の長さが１ｍｓである。
【０００５】
無線通信システムでは、レイテンシ（ｌａｔｅｎｃｙ）が、ユーザ体験に影響を及ぼす重要な要因である。インターネットオブビークルに関連するサービスなど、絶え間なく出現する新たなサービスがレイテンシについて課す要件は、ますます高くなっている。長さ１ｍｓの伝送時間間隔に基づいて実行されるＤＣＩ伝送においては、比較的大きなスケジューリングレイテンシが生じ、低レイテンシサービスの要件を満たすことができない。
【発明の概要】
【０００６】
本願は、ＤＣＩ伝送レイテンシを減らすべく、制御情報検出方法、制御情報送信方法およびデバイスを提供する。
【０００７】
第１の態様によれば、本願は、制御情報検出方法を提供する。ここで、方法は、端末デバイスが第１の探索空間および第２の探索空間を決定する段階であって、第１の探索空間は、第２の探索空間の一部である、決定する段階と、端末デバイスが第１の探索空間において少なくとも１つの第１タイプのＤＣＩを検出する段階と、端末デバイスが第２の探索空間において少なくとも１つの第２タイプのＤＣＩを検出する段階とを備える。ここで、第１タイプのＤＣＩは、第１の時間長のデータ伝送をスケジューリングするために使用され、第２タイプのＤＣＩは、第２の時間長のデータ伝送をスケジューリングするために使用され、第１の時間長は、第２の時間長より短い。
【０００８】
この実装では、レイテンシ要件が低いデータ伝送の場合、探索空間が比較的小さく、ブラインド検出の数が少ないことによってスケジューリング情報が迅速に取得され得ることから、データ処理速度が改善される。
【０００９】
第１の態様との関連で、第１の態様の第１の考えられる実装において、第２の時間長は１ｍｓであり、第２の探索空間はＰＤＣＣＨ  ＣＳＳおよびＰＤＣＣＨ  ＵＥＳＳを含む。
【００１０】
第１の態様の第１の考えられる実装との関連で、第１の態様の第２の考えられる実装において、第１タイプのＤＣＩは少なくとも第１のＤＣＩを含み、第２タイプのＤＣＩは少なくとも第２のＤＣＩを含み、第１のＤＣＩの情報ビット数が第２のＤＣＩの情報ビット数と同じである。
【００１１】
第１の態様の第２の考えられる実装との関連で、第１の態様の第３の考えられる実装において、端末デバイスが第２の探索空間において少なくとも１つの第２タイプのＤＣＩを検出する段階は、端末デバイスが第２の探索空間において少なくともＤＣＩフォーマット１Ａの第２のＤＣＩを検出する段階を含む。
【００１２】
第１の態様または第１の態様の第１から第３の考えられる実装のうちの何れか１つとの関連で、第１の態様の第４の考えられる実装において、端末デバイスが第１の探索空間を決定する段階は、端末デバイスが上位層シグナリングに基づいて第１の探索空間を決定する段階を含む。ここで、上位層シグナリングは、第１の探索空間の集約レベルおよび制御チャネル候補数のうちの少なくとも一方を示す。
【００１３】
第１の態様または第１の態様の第１から第４の考えられる実装のうちの何れか１つとの関連で、第１の態様の第５の考えられる実装において、第１の探索空間は、ＰＤＣＣＨ  ＵＥＳＳ内の幾つかの制御チャネル候補を含む探索空間である。すなわち、第１の探索空間は、ＰＤＣＣＨ  ＵＥＳＳ内の幾つかの制御チャネル候補を含む。
【００１４】
第１の態様または第１の態様の第１から第４の考えられる実装のうちの何れか１つとの関連で、第１の態様の第６の考えられる実装において、第１の探索空間は、ＰＤＣＣＨ  ＣＳＳと、ＰＤＣＣＨ  ＵＥＳＳ内の幾つかの制御チャネル候補を含む探索空間とを含み、第１タイプのＤＣＩは少なくとも第１のＤＣＩおよび第３のＤＣＩを含む。ここで、第１のＤＣＩは、第３のＤＣＩに基づいて第１の時間長のデータ伝送を実行するよう端末デバイスに指示する情報を含む。
【００１５】
第１の態様の第６の考えられる実装との関連で、第１の態様の第７の考えられる実装において、端末デバイスが第１の探索空間において少なくとも１つの第１タイプのＤＣＩを検出する段階は、端末デバイスがＰＤＣＣＨ  ＣＳＳにおいて第３のＤＣＩを検出する段階、および、端末デバイスがＰＤＣＣＨ  ＵＥＳＳ内の幾つかの制御チャネル候補を含む探索空間において第１のＤＣＩを検出する段階、または、端末デバイスが第３のＤＣＩを検出する場合に、端末デバイスがＰＤＣＣＨ  ＵＥＳＳ内の幾つかの制御チャネル候補を含む探索空間において第１のＤＣＩを検出する段階を含む。
【００１６】
第１の態様の第５から第７の考えられる実装のうちの何れか１つとの関連で、第１の態様の第８の考えられる実装において、ＰＤＣＣＨ  ＵＥＳＳ内の幾つかの制御チャネル候補を含む探索空間は、集約レベル１を有する、ＰＤＣＣＨ  ＵＥＳＳ内のＡ個の制御チャネル候補を含む探索空間、集約レベル２を有する、ＰＤＣＣＨ  ＵＥＳＳ内のＢ個の制御チャネル候補を含む探索空間、集約レベル４を有する、ＰＤＣＣＨ  ＵＥＳＳ内のＣ個の制御チャネル候補を含む探索空間、および、集約レベル８を有する、ＰＤＣＣＨ  ＵＥＳＳ内のＤ個の制御チャネル候補を含む探索空間といった探索空間のうちの少なくとも１つを含む。ここで、Ａは６未満の正の整数であり、Ｂは６未満の正の整数であり、Ｃは１または２であり、Ｄは１または２である。すなわち、第１の探索空間がＰＤＣＣＨ  ＵＥＳＳ内の幾つかの制御チャネル候補を含むとき、第１の探索空間は、集約レベル１を有する、ＰＤＣＣＨ  ＵＥＳＳ内の少なくともＡ個の制御チャネル候補を含んでよい、または、第１の探索空間は、集約レベル２を有する、ＰＤＣＣＨ  ＵＥＳＳ内の少なくともＢ個の制御チャネル候補を含んでよい、または、第１の探索空間は、集約レベル４を有する、ＰＤＣＣＨ  ＵＥＳＳ内の少なくともＣ個の制御チャネル候補を含んでよい、または、第１の探索空間は、集約レベル８を有する、ＰＤＣＣＨ  ＵＥＳＳ内の少なくともＤ個の制御チャネル候補を含んでよい。
【００１７】
第１の態様の第６または第７の考えられる実装との関連で、第１の態様の第９の考えられる実装において、第３のＤＣＩは、第１の時間長のデータ伝送により占有される周波数領域リソースを示すために使用される少なくとも１つの情報と、ｓＰＤＣＣＨ構成情報と、ＵＬ  Ｇｒａｎｔ構成情報とを含む。ｓＰＤＣＣＨ構成情報は、時間単位ａまたは時間単位ｂにｓＰＤＣＣＨ領域があるかどうかを示し、時間単位ａはＰＤＣＣＨ領域の時間単位であり、時間単位ｂはＰＤＣＣＨ領域の後の最初の時間単位である。ＵＬ  Ｇｒａｎｔ構成情報は、ＵＬ  Ｇｒａｎｔに対応する探索空間を示し、当該探索空間はｓＰＤＣＣＨ領域に配置される。
【００１８】
第１の態様または第１の態様の第１から第４の考えられる実装のうちの何れか１つとの関連で、第１の態様の第１０の考えられる実装において、第１の探索空間はＰＤＣＣＨ  ＣＳＳを含み、端末デバイスが第１の探索空間において少なくとも１つの第１タイプのＤＣＩを検出する段階は、端末デバイスがＰＤＣＣＨ  ＣＳＳにおいて第３のＤＣＩを検出する段階を含む。端末デバイスが第３のＤＣＩを検出および受信した後、端末デバイスは、第３のＤＣＩに含まれるｓＰＤＣＣＨ構成情報に基づいて第３の探索空間を決定する。具体的に言うと、これは、時間単位ａにも時間単位ｂにもｓＰＤＣＣＨ領域がないことをｓＰＤＣＣＨ構成情報が示す場合、第３の探索空間がＰＤＣＣＨ  ＵＥＳＳ内の幾つかの制御チャネル候補を含む探索空間を含んでいること、または、時間単位ａまたは時間単位ｂにｓＰＤＣＣＨ領域があることをｓＰＤＣＣＨ構成情報が示す場合、第３の探索空間が時間単位ａまたは時間単位ｂのｓＰＤＣＣＨ領域に配置されることを含む。
【００１９】
第１の態様の第１０の考えられる実装との関連で、第１の態様の第１１の考えられる実装において、当該方法は更に、第３の探索空間の決定後に端末デバイスが第３の探索空間において第１のＤＣＩを検出する段階を含む。
【００２０】
第２の態様によれば、本願は更に、制御情報送信方法を提供する。当該方法は、ネットワークデバイスが第１の探索空間および第２の探索空間のうちの少なくとも一方を決定する段階であって、第１の探索空間は、第２の探索空間の一部である、決定する段階と、ネットワークデバイスが少なくとも１つの探索空間において少なくとも１つのダウンリンク制御情報ＤＣＩを送信する段階であって、少なくとも１つのＤＣＩは、第１タイプのＤＣＩおよび第２タイプのＤＣＩのうちの少なくとも一方であり、第１タイプのＤＣＩは、第１の探索空間により搬送され、第２タイプのＤＣＩは、第２の探索空間により搬送され、第１タイプのＤＣＩは、第１の時間長のデータ伝送をスケジューリングするために使用され、第２タイプのＤＣＩは、第２の時間長のデータ伝送をスケジューリングするために使用され、第１の時間長は、第２の時間長より短い、送信する段階とを備える。代わりに、第１の探索空間および第２の探索空間のうちの少なくとも一方を決定した後、ネットワークデバイスは、第１の探索空間において少なくとも１つの第１タイプのＤＣＩを送信してもよいし、第２の探索空間において少なくとも１つの第２タイプのＤＣＩを送信してもよい、または、ネットワークデバイスは、第１の探索空間において少なくとも１つの第１タイプのＤＣＩを送信し、第２の探索空間において少なくとも１つの第２タイプのＤＣＩを送信する。
【００２１】
第２の態様との関連で、第２の態様の第１の考えられる実装において、第２の時間長は１ｍｓであり、第２の探索空間は物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む。
【００２２】
第２の態様の第１の考えられる実装との関連で、第２の態様の第２の考えられる実装において、第１タイプのＤＣＩは少なくとも第１のＤＣＩを含み、第２タイプのＤＣＩは少なくとも第２のＤＣＩを含み、第１のＤＣＩの情報ビット数が第２のＤＣＩの情報ビット数と同じである。
【００２３】
第２の態様の第２の考えられる実装との関連で、第２の態様の第３の考えられる実装において、ネットワークデバイスが少なくとも１つの探索空間において少なくとも１つのＤＣＩを送信する段階は、ネットワークデバイスが第２の探索空間において少なくともＤＣＩフォーマット１Ａの第２のＤＣＩを送信する段階を含む。
【００２４】
第２の態様または第２の態様の第１から第３の考えられる実装のうちの何れか１つとの関連で、第２の態様の第４の考えられる実装において、ネットワークデバイスが第１の探索空間を決定した後、当該方法は更に、ネットワークデバイスが上位層シグナリングを送信する段階を含む。ここで、上位層シグナリングは、第１の探索空間の集約レベルおよび制御チャネル候補数のうちの少なくとも一方を示す。
【００２５】
第２の態様または第２の態様の第１から第４の考えられる実装のうちの何れか１つとの関連で、第２の態様の第５の考えられる実装において、第１の探索空間は、ＰＤＣＣＨ  ＵＥＳＳ内の幾つかの制御チャネル候補を含む探索空間である。
【００２６】
第２の態様または第２の態様の第１から第４の考えられる実装のうちの何れか１つとの関連で、第２の態様の第６の考えられる実装において、第１の探索空間は、ＰＤＣＣＨ  ＣＳＳと、ＰＤＣＣＨ  ＵＥＳＳ内の幾つかの制御チャネル候補を含む探索空間とを含み、第１タイプのＤＣＩは少なくとも第１のＤＣＩおよび第３のＤＣＩを含む。ここで、第１のＤＣＩは、第３のＤＣＩに基づいて第１の時間長のデータ伝送を実行するよう端末デバイスに指示する情報を含む。
【００２７】
第２の態様の第６の考えられる実装との関連で、第２の態様の第７の考えられる実装において、ネットワークデバイスが少なくとも１つの探索空間において少なくとも１つのＤＣＩを送信する段階は、ネットワークデバイスがＰＤＣＣＨ  ＣＳＳにおいて第３のＤＣＩを送信する段階、または、ネットワークデバイスがＰＤＣＣＨ  ＵＥＳＳ内の幾つかの制御チャネル候補を含む探索空間において第１のＤＣＩを送信する段階、または、ネットワークデバイスがＰＤＣＣＨ  ＣＳＳにおいて第３のＤＣＩを送信し、ＰＤＣＣＨ  ＵＥＳＳ内の幾つかの制御チャネル候補を含む探索空間において第１のＤＣＩを送信する段階を含む。
【００２８】
第２の態様の第５から第７の考えられる実装のうちの何れか１つとの関連で、第２の態様の第８の考えられる実装において、ＰＤＣＣＨ  ＵＥＳＳ内の幾つかの制御チャネル候補を含む探索空間は少なくとも、集約レベル１を有する、ＰＤＣＣＨ  ＵＥＳＳ内のＡ個の制御チャネル候補を含む探索空間、または、集約レベル２を有する、ＰＤＣＣＨ  ＵＥＳＳ内のＢ個の制御チャネル候補を含む探索空間、または、集約レベル４を有する、ＰＤＣＣＨ  ＵＥＳＳ内のＣ個の制御チャネル候補を含む探索空間、または、集約レベル８を有する、ＰＤＣＣＨ  ＵＥＳＳ内のＤ個の制御チャネル候補を含む探索空間といった探索空間を含む。ここで、Ａは６未満の正の整数であり、Ｂは６未満の正の整数であり、Ｃは１または２であり、Ｄは１または２である。
【００２９】
第３の態様によれば、本願は更に端末デバイスを提供する。ここで、端末デバイスは、第１の態様の実装に係る方法の段階を実行するように構成されているユニットモジュール、例えば、決定ユニットおよび検出ユニットを含んでよい。ユニットモジュールで実装される機能が端末デバイス内のプロセッサで実装されてよい、または、プロセッサは、当該機能を実装する端末デバイス内の別のコンポーネントを制御する。
【００３０】
第４の態様によれば、本願は更にネットワークデバイスを提供する。ここで、ネットワークデバイスは、第２の態様の実装に係る方法の段階を実行するように構成されているユニットモジュール、例えば、処理ユニットおよび送信ユニットを含んでよい。ユニットモジュールで実装される機能がネットワークデバイス内のプロセッサで実装されてよい、または、プロセッサは、当該機能を実装するネットワークデバイス内の別のコンポーネントを制御する。
【００３１】
第５の態様によれば、本願は更に記憶媒体を提供する。ここで、コンピュータ記憶媒体は、プログラムを記憶してよく、当該プログラムが実行されると、本願で提供される制御情報検出方法の実施形態における幾つかまたは全ての段階が実装され得る、または、本願で提供される制御情報送信方法の実施形態における幾つかまたは全ての段階が実装され得る。
【００３２】
本願の実施形態において説明される方法またはデバイスによれば、レイテンシ要件が低いデータ伝送の場合は、探索空間が比較的小さく、ブラインド検出の数が少ないことによってスケジューリング情報が迅速に取得され得ることから、データ処理速度が改善される。
【図面の簡単な説明】
【００３３】
本願における技術的解決手段をより明確に説明すべく、以下では実施形態を説明するために必要な添付図面について簡単に説明する。当業者であれば、創造的努力をすることなくこれらの添付図面から他の図面を導き出すことができると思われる。
【００３４】
【図１】本願に係る制御情報検出方法のある実施形態の概略フローチャートである。
【００３５】
【図２】本願に係る制御情報送信方法のある実施形態の概略フローチャートである。
【００３６】
【図３】本願に係る端末デバイスのある実施形態の概略構造図である。
【００３７】
【図４】本願に係るネットワークデバイスのある実施形態の概略構造図である。
【００３８】
【図５】本願に係る端末デバイスの別の実施形態の概略構造図である。
【００３９】
【図６】本願に係るネットワークデバイスの別の実施形態の概略構造図である。
【発明を実施するための形態】
【００４０】
本願の実施形態は、ネットワークデバイスおよび端末デバイス（端末デバイスまたは端末機器）を含む無線通信システム、例えば、ＬＴＥシステム、または、様々な無線アクセス技術を使用する別の無線通信システム、例えば、符号分割多元接続、周波数分割多元接続、時分割多元接続、直交周波数分割多元接続もしくはシングルキャリア周波数分割多元接続、または、第５世代（５Ｇ）システムなどの将来の進化型システム（ｓｕｂｓｅｑｕｅｎｔｌｙ  ｅｖｏｌｖｅｄ  ｓｙｓｔｅｍ）などのアクセス技術を使用するシステムに適用されてよい。
【００４１】
具体的に言うと、本願の実施形態は、端末デバイスとネットワークデバイスとの間のデータ伝送、または、端末デバイス間のデータ伝送、または、ネットワークデバイス間のデータ伝送に適用されてよい。端末デバイスは、ユーザに音声接続性またはデータ接続性を提供するデバイス、無線接続機能を有するハンドヘルドデバイス、または、無線モデムに接続されている別の処理デバイスであってよい。無線端末が無線アクセスネットワーク（ｒａｄｉｏ  ａｃｃｅｓｓ  ｎｅｔｗｏｒｋ、ＲＡＮ）を介して１つまたは複数のコアネットワークと通信してよい。無線端末は、携帯電話（または「セルラ」フォンと呼ばれる）などのモバイル端末、および、モバイル端末を有するコンピュータであってよい。例えば、無線アクセスネットワークと音声および／またはデータを交換する、携帯用、ポケットサイズ、ハンドヘルド、コンピュータ内蔵型、または車載のモバイル機器であってよい。例えば、無線端末は、パーソナル通信サービス（ｐｅｒｓｏｎａｌ  ｃｏｍｍｕｎｉｃａｔｉｏｎ  ｓｅｒｖｉｃｅ、ＰＣＳ）電話、コードレス電話機、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局またはパーソナルデジタルアシスタント（ｐｅｒｓｏｎａｌ  ｄｉｇｉｔａｌ  ａｓｓｉｓｔａｎｔ、ＰＤＡ）などのデバイスであってよい。無線端末は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）、移動局（ｍｏｂｉｌｅ  ｓｔａｔｉｏｎ、ＭＳ）、遠隔局（ｒｅｍｏｔｅ  ｓｔａｔｉｏｎ、ＲＳ）、アクセスポイント（ａｃｃｅｓｓ  ｐｏｉｎｔ、ＡＰ）、遠隔端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザデバイスまたはユーザ機器（ｕｓｅｒ  ｅｑｕｉｐｍｅｎｔ、ＵＥ）と呼ばれてもよい。
【００４２】
本願の実施形態におけるネットワークデバイスは、基地局またはアクセスポイントであってもよいし、アクセスネットワークにあり、かつ、エアインタフェース上の１つまたは複数のセクタを用いて無線端末と通信する、デバイスであってもよい。基地局は、受信される無線フレームとＩＰパケットとの相互変換を行い、かつ、無線端末とアクセスネットワークの残りの部分との間のルータとして機能するように構成されてよい。ここで、アクセスネットワークの残りの部分は、インターネットプロトコル（Ｉｎｔｅｒｎｅｔ  ｐｒｏｔｏｃｏｌ、ＩＰ）ネットワークを含んでよい。基地局は、エアインタフェースの属性管理を調整してもよい。例えば、基地局は、５Ｇ  ｇノードＢ（ｇＮＢ、ｇＮｏｄｅＢ）であってもよいし、ＬＴＥの進化型ノードＢ（ＮｏｄｅＢまたはｅＮＢまたはｅＮｏｄｅＢ、ｅｖｏｌｖｅｄ  ＮｏｄｅＢ）であってもよいし、ＧＳＭ（登録商標）またはＣＤＭＡのベーストランシーバ局（Ｂａｓｅ  Ｔｒａｎｓｃｅｉｖｅｒ  Ｓｔａｔｉｏｎ、ＢＴＳ）またはＷＣＤＭＡ（登録商標）のノードＢ（ＮｏｄｅＢ）でさえあってもよい。これは本願において限定されない。
【００４３】
本願の技術的解決手段を説明し易くするために、以下ではまず、本願における幾つかの概念について説明する。
【００４４】
本願の実施形態では、各無線フレームが、長さ１ｍｓを有する１０個のサブフレーム（ｓｕｂｆｒａｍｅ）を含み、各サブフレームが２つのスロット（ｓｌｏｔ）を含む。標準サイクリックプレフィクス（ｎｏｒｍａｌ  ｃｙｃｌｉｃ  ｐｒｅｆｉｘ、ｎｏｒｍａｌ  ＣＰ）については、各スロットが７シンボル（ｓｙｍｂｏｌ）を含む。具体的には、各スロットが｛＃０、＃１、＃２、＃３、＃４、＃５、＃６｝と番号付けされたシンボルを含む。拡張型ＣＰ（ｅｘｔｅｎｄｅｄ  ｃｙｃｌｉｃ  ｐｒｅｆｉｘ、ｅｘｔｅｎｄｅｄ  ＣＰ）については、各スロットが６シンボル（ｓｙｍｂｏｌ）を含む。具体的には、各スロットが｛＃０、＃１、＃２、＃３、＃４、＃５｝と番号付けされたシンボルを含む。説明し易くするために、本願の実施形態では、アップリンクシンボルおよびダウンリンクシンボルの両方がシンボルである。アップリンクシンボルはシングルキャリア周波数分割多元接続（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）シンボルと呼ばれてよく、ダウンリンクシンボルは直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルと呼ばれてよい。無線通信システムでは、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）のアップリンク多元接続方式が使用され、アップリンクシンボルが代わりに別のタイプのシンボル、例えば、ＯＦＤＭシンボルと呼ばれてよいことに留意されたい。アップリンク多元接続方式およびダウンリンク多元接続方式は、本願の実施形態において限定されない。
【００４５】
本願の実施形態において、ＤＣＩは、データ伝送を示すために使用される、または、ＤＣＩは、データ伝送をスケジューリングするために使用される。例えば、ＤＣＩは、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）伝送をスケジューリングするために使用されてもよいし、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）伝送をスケジューリングするために使用されてもよい。ＤＣＩはデータ伝送をスケジューリングするために使用されるが、ＤＣＩは、データ伝送のスケジューリング情報を示すためだけに使用されてよく、データ伝送をトリガするためには使用されないこともある。データを伝送する前、端末デバイスは、ネットワークデバイスにより端末デバイスに送信されたＤＣＩを検出する必要がある。ＤＣＩを搬送するダウンリンク制御チャネルが、探索空間内のダウンリンク制御チャネル候補である。故に、端末デバイスは、探索空間を決定する必要がある。
【００４６】
本願の実施形態において、ダウンリンク制御チャネルは、ＤＣＩを搬送するためのチャネルである。すなわち、ＤＣＩはダウンリンク制御チャネルで搬送される、または、ＤＣＩはダウンリンク制御チャネルにより搬送される。ダウンリンク制御チャネルは、Ｌ個の制御チャネル要素（ｃｏｎｔｒｏｌ  ｃｈａｎｎｅｌ  ｅｌｅｍｅｎｔ、ＣＣＥ）を集約することにより取得されてよい。ここで、Ｌは正の整数であり、集約レベル（ａｇｇｒｅｇａｔｉｏｎ  ｌｅｖｅｌ、ＡＬ）と呼ばれる。例えば、ＰＤＣＣＨについては、Ｌが１、２、４または８であってよい。すなわち、ダウンリンク制御チャネルの集約レベルが１、２、４または８である。
【００４７】
本願の実施形態において、探索空間は１つまたは複数のダウンリンク制御チャネル候補を含み、各ダウンリンク制御チャネル候補が、ＤＣＩを搬送するために使用され得る。簡単に言うと、探索空間は、一組のダウンリンク制御チャネル候補である。端末デバイスは、ダウンリンク制御チャネル候補の待ち受けをする必要がある。故に、探索空間は、端末デバイスが待ち受けをする一組のダウンリンク制御チャネル候補である。例えば、探索空間は１つまたは複数のＰＤＣＣＨを含み、この場合、探索空間はＰＤＣＣＨ探索空間と呼ばれてよい。例えば、探索空間は１つまたは複数のＥＰＤＣＣＨを含み、この場合、探索空間はＥＰＤＣＣＨ探索空間と呼ばれてよい。
【００４８】
探索空間は、共通探索空間（ｃｏｍｍｏｎ  ｓｅａｒｃｈ  ｓｐａｃｅ、ＣＳＳ）およびユーザ機器固有探索空間（ＵＥ−ｓｐｅｃｉｆｉｃ  ｓｅａｒｃｈ  ｓｐａｃｅ、ＵＥＳＳ）といった２つのタイプを含んでよい。ＣＳＳは、セル内の複数の端末デバイスが待ち受けをすべき探索空間であり、ＵＥＳＳは、セル内の特定の端末デバイスが待ち受けをすべき探索空間である。これに応じて、ＰＤＣＣＨ  ＵＥＳＳは、Ｒｅｌ−８で定義されているＰＤＣＣＨを含むＵＥＳＳであり、ＰＤＣＣＨ  ＣＳＳは、Ｒｅｌ−８で定義されているＰＤＣＣＨを含むＣＳＳであり、ＥＰＤＣＣＨ  ＵＥＳＳは、Ｒｅｌ−１１で定義されているＥＰＤＣＣＨを含むＵＥＳＳである。
【００４９】
図１は、制御情報検出方法のある実施形態の概略フローチャートである。この実施形態における方法は、端末デバイスで実行されてよい。
【００５０】
段階１０１：端末デバイスが第１の探索空間および第２の探索空間を決定する。ここで、第１の探索空間は第２の探索空間の一部である。
【００５１】
第１の探索空間は、少なくとも１つの第１タイプのＤＣＩを伝送するために使用され、第２の探索空間は、少なくとも１つの第２タイプのＤＣＩを伝送するために使用される。第１タイプのＤＣＩは、第１の時間長の第１のデータをスケジューリングするために使用され、第２タイプのＤＣＩは、第２の時間長の第２のデータをスケジューリングするために使用され、第１の時間長は第２の時間長より短い。第１のデータは第１のダウンリンクデータまたは第１のアップリンクデータであってよく、第２のデータは第２のダウンリンクデータまたは第２のアップリンクデータである。オプションとして、第１のダウンリンクデータまたは第２のダウンリンクデータは、ＰＤＳＣＨで搬送されるデータであってよく、第１のアップリンクデータまたは第２のアップリンクデータは、ＰＵＳＣＨで搬送されるデータであってよい。
【００５２】
実際に伝送されるデータサービスの複数の異なるレイテンシ要件に基づいて、第１の時間長および第２の時間長はそれぞれ、異なる値を有してよい。具体的に言うと、第１の時間長は第２の時間長より短い。オプションとして、第２の時間長は１ｍｓであり、第１の時間長は２シンボルまたは３シンボルである、または、第２の時間長は１ｍｓであり、第１の時間長は１シンボル、２シンボルまたは３シンボルである、または、第２の時間長は１ｍｓであり、第１の時間長は１シンボルまたは２シンボルである、または、第２の時間長は１ｍｓであり、第１の時間長は４シンボルである、または、第２の時間長は１ｍｓであり、第１の時間長は７シンボルである、または、第２の時間長は１ｍｓであり、第１の時間長は６シンボルである。
【００５３】
本願の実施形態において、第２の時間長は１ｍｓであるが、本願の実施形態における第１の時間長のデータ伝送の実際の伝送時間長は１ｍｓ未満であってよいことに留意されたい。ＬＴＥシステムにおける様々な物理チャネルがＴＴＩ長１ｍｓで設計されているが、実際のデータ伝送により占有される時間領域リソースが１ｍｓ未満であってよい。例えば、ダウンリンクサブフレーム内の最初の１シンボル、２シンボル、３シンボルまたは４シンボルは、ＰＤＣＣＨを伝送するために使用されてよい。故に、ＴＴＩ長１ｍｓのダウンリンクデータ伝送（例えば、ＰＤＳＣＨ伝送）により占有される時間領域リソースが１ｍｓ未満であってよい。別の例としては、アップリンクサブフレーム内の最後の１シンボルが、ＳＲＳ（サウンディング参照信号、ｓｏｕｎｄｉｎｇ  ｒｅｆｅｒｅｎｃｅ  ｓｉｇｎａｌ）を伝送するために使用されてよい。故に、ＴＴＩ長１ｍｓのアップリンクデータ伝送（例えば、ＰＵＳＣＨ伝送）により占有される時間領域リソースが１ｍｓ未満であってもよい。
【００５４】
オプションとして、第２の探索空間は、ＰＤＣＣＨ  ＣＳＳおよびＰＤＣＣＨ  ＵＥＳＳを含んでよい。
【００５５】
ＰＤＣＣＨ  ＣＳＳは、集約レベル４を有する４つの制御チャネル候補、または、集約レベル８を有する２つの制御チャネル候補を含む。ＰＤＣＣＨ  ＣＳＳは、ＰＤＣＣＨ領域内の最初の１６個の制御チャネル要素（ｃｏｎｔｒｏｌ  ｃｈａｎｎｅｌ  ｅｌｅｍｅｎｔ、ＣＣＥ）を含む。ＰＤＣＣＨ  ＵＥＳＳは、集約レベル１を有する６つの制御チャネル候補と、集約レベル２を有する６つの制御チャネル候補と、集約レベル４を有する２つの制御チャネル候補と、集約レベル８を有する２つの制御チャネル候補とを含む。ＰＤＣＣＨ  ＵＥＳＳはＰＤＣＣＨ領域に配置され、ＰＤＣＣＨ領域内の開始位置が端末デバイス固有・無線ネットワーク一時識別子（ｒａｄｉｏ  ｎｅｔｗｏｒｋ  ｔｅｍｐｏｒａｒｙ  ｉｄｅｎｔｉｆｉｅｒｓ、ＲＮＴＩ）に基づいて決定される。
【００５６】
ダウンリンクシステム帯域幅が１０リソースブロック（ｒｅｓｏｕｒｃｅ  ｂｌｏｃｋ、ＲＢ）より大きいとき、ＰＤＣＣＨ領域は、各サブフレームの最初の１ＯＦＤＭシンボルから３ＯＦＤＭシンボルである。ダウンリンクシステム帯域幅が１０ＲＢ以下であるとき、ＰＤＣＣＨ領域は、各サブフレームの最初の２シンボルから４シンボルである。ＰＤＣＣＨ領域のシンボルの数は、物理制御フォーマットインジケータチャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）または上位層シグナリングを用いて示されてよい。１ｍｓのデータ伝送のレイテンシ要件は高くないため、従来技術と同じ探索空間が使用される。従来技術と比べて、１ｍｓのデータ伝送をスケジューリングするのに使用されるＤＣＩを検索するためのＰＤＣＣＨブラインド検出の数は不変のままであるため、１ｍｓのデータ伝送への影響がない。
【００５７】
オプションとして、第１の探索空間は、ＰＤＣＣＨ  ＵＥＳＳ内の幾つかの制御チャネル候補を含んでもよい。
【００５８】
オプションとして、第１の探索空間は、ＰＤＣＣＨ  ＣＳＳ全体と、ＰＤＣＣＨ  ＵＥＳＳ内の幾つかの制御チャネル候補とを含んでよい。
【００５９】
オプションとして、第１の探索空間はＰＤＣＣＨ  ＣＳＳである。
【００６０】
ＰＤＣＣＨ  ＵＥＳＳ内の幾つかの制御チャネル候補を含む探索空間が、集約レベル１を有する、ＰＤＣＣＨ  ＵＥＳＳ内のＡ個の制御チャネル候補を含む探索空間、集約レベル２を有する、ＰＤＣＣＨ  ＵＥＳＳ内のＢ個の制御チャネル候補を含む探索空間、集約レベル４を有する、ＰＤＣＣＨ  ＵＥＳＳ内のＣ個の制御チャネル候補を含む探索空間、および、集約レベル８を有する、ＰＤＣＣＨ  ＵＥＳＳ内のＤ個の制御チャネル候補を含む探索空間のうちの少なくとも１つを含んでよい。
【００６１】
更に、ＰＤＣＣＨ  ＵＥＳＳ内の幾つかの制御チャネル候補を含む探索空間は、集約レベル１を有する、ＰＤＣＣＨ  ＵＥＳＳ内の最初のＡ個の制御チャネル候補を含む探索空間、集約レベル２を有する、ＰＤＣＣＨ  ＵＥＳＳ内の最初のＢ個の制御チャネル候補を含む探索空間、集約レベル４を有する、ＰＤＣＣＨ  ＵＥＳＳ内の最初のＣ個の制御チャネル候補を含む探索空間、および、集約レベル８を有する、ＰＤＣＣＨ  ＵＥＳＳ内の最初のＤ個の制御チャネル候補を含む探索空間といった探索空間のうちの少なくとも１つを含む。
【００６２】
Ａは６未満の正の整数であり、Ｂは６未満の正の整数であり、Ｃは１または２であり、Ｄは１または２である。例えば、Ａ＝２、Ｂ＝２、Ｃ＝２およびＤ＝２、または、Ａ＝２、Ｂ＝２、Ｃ＝１およびＤ＝１、または、Ａ＝３、Ｂ＝３、Ｃ＝２およびＤ＝２、または、Ａ＝３、Ｂ＝３、Ｃ＝１およびＤ＝１である。
【００６３】
オプションとして、第２の探索空間は、ＰＤＣＣＨ  ＣＳＳ全体およびＰＤＣＣＨ  ＵＥＳＳの一部を含む。ＰＤＣＣＨ  ＵＥＳＳの一部は、集約レベル１を有する、ＰＤＣＣＨ  ＵＥＳＳ内のＥ個の制御チャネル候補を含む探索空間、集約レベル２を有する、ＰＤＣＣＨ  ＵＥＳＳ内のＦ個の制御チャネル候補を含む探索空間、集約レベル４を有する、ＰＤＣＣＨ  ＵＥＳＳ内のＧ個の制御チャネル候補を含む探索空間、および、集約レベル８を有する、ＰＤＣＣＨ  ＵＥＳＳ内のＨ個の制御チャネル候補を含む探索空間といった探索空間のうちの少なくとも１つを含む。ＥはＡ以上かつ６未満の正の整数である。ＦはＢ以上かつ６未満の正の整数である。Ｃが１である場合、Ｇは１または２である。Ｃが２である場合、Ｇは２である。Ｄが１である場合、Ｈは１または２である。Ｄが２である場合、Ｈは２である。
【００６４】
端末デバイスは、上位層シグナリングのインジケーションに従って第１の探索空間および／または第２の探索空間を決定してよい。
【００６５】
オプションとして、端末デバイスが第１の探索空間を決定することは、端末デバイスが上位層シグナリングに基づいて第１の探索空間を決定することを含む。ここで、上位層シグナリングは、第１の探索空間の集約レベルおよび／または制御チャネル候補数を示すために使用される。例えば、上位層シグナリングは、Ａ、Ｂ、ＣおよびＤのうちの少なくとも１つを示す。
【００６６】
オプションとして、端末デバイスが第２の探索空間を決定することは、端末デバイスが上位層シグナリングに基づいて第２の探索空間を決定することを含む。ここで、上位層シグナリングは、第２の探索空間の集約レベルおよび／または制御チャネル候補数を示すために使用される。例えば、上位層シグナリングは、Ｅ、Ｆ、ＧおよびＨのうちの少なくとも１つを示す。
【００６７】
段階１０２：端末デバイスが第１の探索空間において少なくとも１つの第１タイプのＤＣＩを検出し、第２の探索空間において少なくとも１つの第２タイプのＤＣＩを検出する。
【００６８】
第１の探索空間を決定した後、端末デバイスは、第１の探索空間において少なくとも１つの第１タイプのＤＣＩを検出してよい。第２の探索空間を決定した後、端末デバイスは、第２の探索空間において少なくとも１つの第２タイプのＤＣＩを検出してよい。第１タイプのＤＣＩおよび第２タイプのＤＣＩはそれぞれ、少なくとも１つのＤＣＩを含む。
【００６９】
オプションとして、第１タイプのＤＣＩは少なくとも第１のＤＣＩを含み、少なくとも１つの第２タイプのＤＣＩは第２のＤＣＩを含み、第１のＤＣＩの情報ビット数が第２のＤＣＩの情報ビット数と同じである。すなわち、第１のＤＣＩおよび第２のＤＣＩのペイロードサイズ（ｐａｙｌｏａｄ  ｓｉｚｅ）が同じである。例えば、第２のＤＣＩはＤＣＩフォーマット１Ａである。この場合、端末デバイスが第２の探索空間において少なくとも１つの第２タイプのＤＣＩを検出することは、端末デバイスが第２の探索空間において少なくともＤＣＩフォーマット１Ａの第２のＤＣＩを検出することを含んでよい。
【００７０】
オプションとして、第１タイプのＤＣＩは少なくとも第１のＤＣＩを含み、少なくとも１つの第２タイプのＤＣＩは、ＤＣＩフォーマット１ＣのＤＣＩ、ＤＣＩフォーマット１ＡのＤＣＩ、ＤＣＩフォーマット３／３ＡのＤＣＩ、および、第４のＤＣＩを含む。第１のＤＣＩの情報ビット数がＤＣＩフォーマット１ＡのＤＣＩの情報ビット数と同じである。この場合、端末デバイスが第２の探索空間において少なくとも１つの第２タイプのＤＣＩを検出することは、端末デバイスがＰＤＣＣＨ  ＣＳＳにおいてＤＣＩフォーマット１Ｃ、ＤＣＩフォーマット１ＡおよびＤＣＩフォーマット３／３Ａを検出すること、および、端末デバイスがＰＤＣＣＨ  ＵＥＳＳまたはＰＤＣＣＨ  ＵＥＳＳの一部においてＤＣＩフォーマット１Ａおよび第４のＤＣＩを検出することを含んでよい。第４のＤＣＩは、ＤＣＩフォーマット１／１Ｂ／１Ｃ／１Ｄ／２／２Ａ／２Ｂ／２Ｃ／２Ｄ／４／５／６であってよい。
【００７１】
第１の探索空間は第２の探索空間の一部であり、第１のＤＣＩの情報ビット数は（例えば、第２のＤＣＩがＤＣＩフォーマット１Ａであるとき）第２のＤＣＩの情報ビット数と同じである。故に、端末デバイスは更に、ＤＣＩ検出中に第１のＤＣＩと第２のＤＣＩとを区別する必要がある。
【００７２】
第１のＤＣＩと第２のＤＣＩとを区別するための方法は複数あってよい。
【００７３】
例えば、第１のＤＣＩおよび第２のＤＣＩはそれぞれ、ＤＣＩタイプを示すための情報フィールドを含む。情報フィールドは、ＤＣＩが第１のＤＣＩと第２のＤＣＩのどちらであるかを示す。このように、端末デバイスは、ＤＣＩの情報フィールドを用いて異なるＤＣＩを区別することができる。
【００７４】
別の例として、複数の異なる無線ネットワーク一時識別子（ｒａｄｉｏ  ｎｅｔｗｏｒｋ  ｔｅｍｐｏｒａｒｙ  ｉｄｅｎｔｉｆｉｅｒｓ、ＲＮＴＩ）が、第１のＤＣＩおよび第２のＤＣＩをスクランブルするために使用される。このように、端末デバイスは、複数の異なるＲＮＴＩを用いて異なるＤＣＩを区別することができる。
【００７５】
更に別の例としては、複数の異なるマスク（ｍａｓｋ）が、第１のＤＣＩおよび第２のＤＣＩの巡回冗長コード（ｃｙｃｌｉｃ  ｒｅｄｕｎｄａｎｃｙ  ｃｏｄｅ、ＣＲＣ）をスクランブルするために使用されてよい。このように、端末デバイスは、複数の異なるマスクを用いて異なるＤＣＩを区別することができる。
【００７６】
オプションとして、第１タイプのＤＣＩは少なくとも第１のＤＣＩおよび第３のＤＣＩを含み、第１のＤＣＩは、第３のＤＣＩに基づいて第１の時間長のデータ伝送を実行するよう端末デバイスに指示する情報を含む。第３のＤＣＩは遅いＤＣＩ（ｓｌｏｗ  ＤＣＩ）と呼ばれてもよく、第１のＤＣＩは速いＤＣＩ（ｆａｓｔ  ＤＣＩ）と呼ばれてもよいことに留意されたい。オプションとして、第３のＤＣＩの情報ビット数が、ＤＣＩフォーマット１ＡまたはＤＣＩフォーマット１ＣのＤＣＩの数と同じである。
【００７７】
例えば、第３のＤＣＩは、第１の時間長のデータ伝送により占有される周波数領域リソースを示すために使用される情報を含み、第１のＤＣＩは、周波数領域リソースで第１の時間長のデータ伝送を実行するよう端末デバイスに指示する。
【００７８】
例えば、第３のＤＣＩは更に、ｓＰＤＣＣＨ（ＰＤＣＣＨ  ｆｏｒ  ｓｈｏｒｔ  ＴＴＩ）構成情報を含む。ここでは、ｓＰＤＣＣＨで搬送されるＤＣＩによりスケジューリングされるダウンリンクデータまたはアップリンクデータの伝送時間長が０．５ｍｓ以下である。ｓＰＤＣＣＨ構成情報は、ＰＤＣＣＨ領域の時間単位（時間単位ａと表される）にｓＰＤＣＣＨ領域があるかどうかを示す、または、ｓＰＤＣＣＨ構成情報は、ＰＤＣＣＨ領域の後の最初の時間単位（時間単位ｂと表される）にｓＰＤＣＣＨ領域があるかどうかを示す。ｓＰＤＣＣＨ領域があることをｓＰＤＣＣＨ構成情報が示す場合、端末デバイスは更に、時間単位ａまたは時間単位ｂのｓＰＤＣＣＨ領域において第１のＤＣＩを検出する必要がある。示さない場合、端末デバイスは、時間単位ａまたは時間単位ｂのｓＰＤＣＣＨ領域において第１のＤＣＩを検出する必要がない。ｓＰＤＣＣＨ領域およびＰＤＣＣＨ領域は、時間領域および周波数領域のどちらにおいても重複しない。１つのダウンリンクサブフレームが少なくとも２つの時間単位を含んでよく、各時間単位が少なくとも１シンボルを含む。例えば、１つのサブフレームが１４シンボルを含み、３シンボル、２シンボル、２シンボル、２シンボル、２シンボルおよび３シンボルをそれぞれ含む、または、２シンボル、３シンボル、２シンボル、２シンボル、２シンボルおよび３シンボルをそれぞれ含む、または、２シンボル、２シンボル、３シンボル、２シンボル、２シンボルおよび３シンボルをそれぞれ含む、６つの時間単位に分割される。例えば、１つのサブフレームが１４シンボルを含み、２つの時間単位に均等に分割される。例えば、ＰＤＣＣＨ領域は１シンボルを含み、最初の時間単位に配置される。この場合、ｓＰＤＣＣＨ構成情報は、最初の時間単位にｓＰＤＣＣＨ領域があるかどうかを示す。例えば、ＰＤＣＣＨ領域は２シンボルを含み、最初の時間単位に配置される。この場合、ｓＰＤＣＣＨ構成情報は、ＰＤＣＣＨ領域の後の最初の時間単位（すなわち、第２の時間単位）にｓＰＤＣＣＨ領域があるかどうかを示す。ｓＰＤＣＣＨ構成情報は、ＰＤＣＣＨ領域の負荷に基づいて構成されてよい。ＰＤＣＣＨ領域の負荷が比較的大きい場合、ｓＰＤＣＣＨ構成情報は、時間単位ａまたは時間単位ｂにｓＰＤＣＣＨ領域があることを示してよい。このように、第１のＤＣＩは代わりに、ｓＰＤＣＣＨ領域内のｓＰＤＣＣＨにより搬送されてもよい。ＰＤＣＣＨ領域の負荷が比較的小さい場合、ｓＰＤＣＣＨ構成情報は、時間単位ａまたは時間単位ｂにｓＰＤＣＣＨ領域がないことを示してよい。このように、ｓＰＤＣＣＨ領域の更なるオーバヘッドを避けるべく、第１のＤＣＩはＰＤＣＣＨ領域内のＰＤＣＣＨによってのみ搬送され得る。
【００７９】
例えば、第３のＤＣＩは更に、ＵＬ  Ｇｒａｎｔ（アップリンクグラント）構成情報を含む。ＵＬ  Ｇｒａｎｔ構成情報は、ＵＬ  Ｇｒａｎｔに対応する探索空間を示す。ＵＬ  Ｇｒａｎｔに対応する探索空間は、ｓＰＤＣＣＨ領域に配置される。このように、端末デバイスがダウンリンクデータを受信しない場合でも、端末デバイスは依然として、ＵＬ  Ｇｒａｎｔに対応する探索空間においてＵＬ  Ｇｒａｎｔを検出することができ、更には、ネットワークデバイスにアップリンクデータを送信する。オプションとして、ＵＬ  Ｇｒａｎｔに対応する探索空間は複数の端末デバイス用に構成され、この端末デバイスは当該複数の端末デバイスのうちの１つである。
【００８０】
オプションとして、第３のＤＣＩはグループ固有のものである、すなわち、第３のＤＣＩは端末デバイス群用に構成されているため、ＰＤＣＣＨ  ＣＳＳ内の制御チャネル候補を用いて搬送される。端末デバイスは、端末デバイス群内の１つの端末デバイスである。第１のＤＣＩは端末デバイス固有のものであるため、ＰＤＣＣＨ  ＵＥＳＳ内の制御チャネル候補を用いて搬送される。これに応じて、第１の探索空間は、ＰＤＣＣＨ  ＣＳＳ全体と、ＰＤＣＣＨ  ＵＥＳＳ内の幾つかの制御チャネル候補を含む探索空間とを含む。
【００８１】
第１の探索空間が上記のようにＰＤＣＣＨ  ＣＳＳ全体とＰＤＣＣＨ  ＵＥＳＳ内の幾つかの制御チャネル候補とを含み、かつ、第１タイプのＤＣＩが第１のＤＣＩおよび第３のＤＣＩを含むとき、端末デバイスが第１の探索空間において少なくとも１つの第１タイプのＤＣＩを検出することは、端末デバイスがＰＤＣＣＨ  ＣＳＳにおいて第３のＤＣＩを検出すること、および、端末デバイスがＰＤＣＣＨ  ＵＥＳＳ内の幾つかの制御チャネル候補を含む探索空間において第１のＤＣＩを検出すること、または、端末デバイスが第３のＤＣＩを検出する場合に、端末デバイスがＰＤＣＣＨ  ＵＥＳＳ内の幾つかの制御チャネル候補を含む探索空間において第１のＤＣＩを検出することを含む。オプションとして、第３のＤＣＩはｓＰＤＣＣＨ構成情報を含み、ｓＰＤＣＣＨ領域があることをｓＰＤＣＣＨ構成情報が示す場合、端末デバイスは更に、第４の探索空間を決定し、かつ、第４の探索空間において第１のＤＣＩを検出する必要がある。第４の探索空間は、時間単位ａまたは時間単位ｂのｓＰＤＣＣＨ領域に配置される。
【００８２】
オプションとして、少なくとも１つの第１タイプのＤＣＩは第３のＤＣＩを含む。第３のＤＣＩはグループ固有のものであるため、ＰＤＣＣＨ  ＣＳＳ内の制御チャネル候補を用いて搬送される。加えて、端末デバイスは更に、第１のＤＣＩを検出する必要がある。ここで、第１のＤＣＩは端末デバイス固有のものであり、ＰＤＣＣＨ  ＵＥＳＳ内の制御チャネル候補、または、時間単位ａまたは時間単位ｂのｓＰＤＣＣＨ領域内のｓＰＤＣＣＨを用いて搬送される。これに応じて、端末デバイスは、第１の探索空間がＰＤＣＣＨ  ＣＳＳを含んでいると決定する。端末デバイスが第１の探索空間において少なくとも１つの第１タイプのＤＣＩを検出することは、端末デバイスがＰＤＣＣＨ  ＣＳＳにおいて第３のＤＣＩを検出することを含む。端末デバイスが第３のＤＣＩを検出および受信した後、端末デバイスは、第３のＤＣＩに含まれるｓＰＤＣＣＨ構成情報に基づいて第３の探索空間を決定する。具体的に言うと、これは、時間単位ａにも時間単位ｂにもｓＰＤＣＣＨ領域がないことをｓＰＤＣＣＨ構成情報が示す場合、第３の探索空間がＰＤＣＣＨ  ＵＥＳＳ内の幾つかの制御チャネル候補を含む探索空間を含んでいること、または、時間単位ａまたは時間単位ｂにｓＰＤＣＣＨ領域があることをｓＰＤＣＣＨ構成情報が示す場合、第３の探索空間が時間単位ａまたは時間単位ｂのｓＰＤＣＣＨ領域に配置されることを含む。  第３の探索空間を決定した後、端末デバイスは更に、第３の探索空間において第１のＤＣＩを検出してよい。この段落で説明されている第１のＤＣＩ、第３のＤＣＩおよびｓＰＤＣＣＨ構成情報については、上述の定義を参照されたい。
【００８３】
端末デバイスは厳密な時間順序で第１の探索空間および第２の探索空間を決定しないこと、および、端末デバイスは、まず第１の探索空間を決定してから第２の探索空間を決定してもよいし、まず第２の探索空間を決定してから第１の探索空間を決定してもよいし、第１の探索空間および第２の探索空間を同時に決定してもよいことに留意されたい。これは本願において限定されない。
【００８４】
上述の実施形態から、レイテンシ要件が低いデータ伝送の場合は、探索空間が比較的小さく、ブラインド検出の数が少ないことによってスケジューリング情報が迅速に取得され得ることから、データ処理速度が改善されることが分かる。加えて、ＰＤＣＣＨ領域において検出される制御チャネル候補の数が増えず、検出されるＤＣＩの情報ビット数のタイプが増えない。故に、従来技術と比べて、ＰＤＣＣＨ領域におけるＰＤＣＣＨブラインド検出の数が増えず、１ｍｓのデータ伝送の処理時間への影響がない。
【００８５】
図２は、本願に係る制御情報送信方法のある実施形態の概略フローチャートである。この実施形態における方法は、ネットワークデバイスで実行されてよい。図２に示されているように、実施形態は以下の段階を含んでよい。
【００８６】
段階２０１：ネットワークデバイスが第１の探索空間および第２の探索空間のうちの少なくとも一方を決定する。ここで、第１の探索空間は第２の探索空間の一部である。
【００８７】
第１タイプのＤＣＩは第１の時間長のデータ伝送をスケジューリングするために使用され、第２タイプのＤＣＩは第２の時間長のデータ伝送をスケジューリングするために使用され、第１の時間長は第２の時間長より短い。
【００８８】
第１の探索空間および第２の探索空間に関連する詳しい内容については、上述の実施形態を参照されたい。ここでは詳細について再び説明しない。
【００８９】
段階２０２：ネットワークデバイスが少なくとも１つの探索空間において少なくとも１つのダウンリンク制御情報ＤＣＩを送信する。ここで、少なくとも１つのＤＣＩは第１タイプのＤＣＩおよび第２タイプのＤＣＩのうちの少なくとも一方であり、第１タイプのＤＣＩは第１の探索空間により搬送され、第２タイプのＤＣＩは第２の探索空間により搬送される。
【００９０】
オプションとして、少なくとも１つの探索空間は第１の探索空間を含む。この場合、ネットワークデバイスが第１の探索空間を決定した後、ネットワークデバイスは、第１の探索空間において少なくとも１つの第１タイプのＤＣＩを送信してよい。
【００９１】
オプションとして、少なくとも１つの探索空間は第２の探索空間を含む。この場合、ネットワークデバイスが第２の探索空間を決定した後、ネットワークデバイスは第２の探索空間において少なくとも１つの第２タイプのＤＣＩを送信してよい。
【００９２】
オプションとして、少なくとも１つの探索空間は、第１の探索空間および第２の探索空間を含む。この場合、ネットワークデバイスが第１の探索空間および第２の探索空間を決定した後、ネットワークデバイスは第１の探索空間において少なくとも１つの第１タイプのＤＣＩを送信し、かつ、第２の探索空間において少なくとも１つの第２タイプのＤＣＩを送信してよい。
【００９３】
オプションとして、第２のＤＣＩがＤＣＩフォーマット１Ａである場合、ネットワークデバイスは、第２の探索空間において少なくともＤＣＩフォーマット１Ａの第２のＤＣＩを送信する。
【００９４】
オプションとして、第１の探索空間がＰＤＣＣＨ  ＣＳＳと、ＰＤＣＣＨ  ＵＥＳＳ内の幾つかの制御チャネル候補を含む探索空間とを含む場合、ネットワークデバイスは、ＰＤＣＣＨ  ＣＳＳにおいて第３のＤＣＩを送信し、ＰＤＣＣＨ  ＵＥＳＳ内の幾つかの制御チャネル候補を含む探索空間において第１のＤＣＩを送信する。ネットワークデバイスは、ＰＤＣＣＨ  ＣＳＳにおいて第３のＤＣＩを送信するとき、ＰＤＣＣＨ  ＵＥＳＳ内の幾つかの制御チャネル候補を含む探索空間において第１のＤＣＩを送信してよい。
【００９５】
端末デバイスが第１の探索空間を決定できるよう、ネットワークデバイスは、第１の探索空間を決定した後、上位層シグナリングを送信してよい。上位層シグナリングは、第１の探索空間の集約レベルおよび制御チャネル候補数のうちの少なくとも一方を示す。すなわち、上位層シグナリングは第１の探索空間の集約レベルを示してもよいし、制御チャネル候補数を示してもよいし、第１の探索空間の集約レベルおよび制御チャネル候補数の両方を示してもよい。
【００９６】
オプションとして、別の実装において、第１の探索空間および第２の探索空間のうちの少なくとも一方を決定した後、ネットワークデバイスは、第１の探索空間において少なくとも１つの第１タイプのＤＣＩを送信してもよいし、第２の探索空間において少なくとも１つの第２タイプのＤＣＩを送信してもよい、または、ネットワークデバイスは、第１の探索空間において少なくとも１つの第１タイプのＤＣＩを送信し、第２の探索空間において少なくとも１つの第２タイプのＤＣＩを送信する。例えば、ネットワークデバイスが第１の探索空間のみを決定する場合、ネットワークデバイスは第１の探索空間において少なくとも１つの第１タイプのＤＣＩを送信するだけでよく、ネットワークデバイスが第２の探索空間のみを決定する場合、ネットワークデバイスは第１の探索空間において少なくとも１つの第１タイプのＤＣＩを送信するだけでよく、ネットワークデバイスが第１の探索空間および第２の探索空間の両方を決定する場合、ネットワークデバイスは第１の探索空間において少なくとも１つの第１タイプのＤＣＩを送信するだけでもよいし、第２の探索空間において少なくとも１つの第２タイプのＤＣＩを送信するだけでもよいし、第１の探索空間において少なくとも１つの第１タイプのＤＣＩを送信すること、および、第２の探索空間において少なくとも１つの第２タイプのＤＣＩを送信することの両方を行ってもよい。
【００９７】
ここで、この実施形態では、第１の探索空間、第２の探索空間、第１の時間長、第２の時間長、第１タイプのＤＣＩおよび第２タイプのＤＣＩに関連する内容が比較的簡単に説明されていることに留意されたい。関連する点については、上述の実施形態を参照されたい。ここでは詳細について再び説明しない。
【００９８】
図３は、本願に係る端末デバイスのある実施形態の概略構造図である。端末デバイスは、図１に対応する制御情報検出方法を実行するように構成されてよい。図３に示されているように、端末デバイスは、決定ユニット３０１および検出ユニット３０２を含んでよい。決定ユニット３０１および検出ユニット３０２はどちらも、端末デバイス内のプロセッサで実装されてよい。
【００９９】
決定ユニット３０１は、第１の探索空間および第２の探索空間を決定するように構成される。ここで、第１の探索空間は第２の探索空間の一部である。検出ユニット３０２は、第１の探索空間において少なくとも１つの第１タイプのＤＣＩを検出し、かつ、第２の探索空間において少なくとも１つの第２タイプのＤＣＩを検出するように構成される。ここで、第１タイプのＤＣＩは、第１の時間長のデータ伝送をスケジューリングするために使用され、第２タイプのＤＣＩは、第２の時間長のデータ伝送をスケジューリングするために使用され、第１の時間長は第２の時間長より短い。
【０１００】
オプションとして、第２の時間長は１ｍｓであり、第２の探索空間はＰＤＣＣＨ  ＣＳＳおよびＰＤＣＣＨ  ＵＥＳＳを含む。
【０１０１】
オプションとして、第１タイプのＤＣＩは少なくとも第１のＤＣＩを含み、第２タイプのＤＣＩは少なくとも第２のＤＣＩを含み、第１のＤＣＩの情報ビット数が第２のＤＣＩの情報ビット数と同じである。
【０１０２】
オプションとして、検出ユニット３０２は更に、第２の探索空間において少なくともＤＣＩフォーマット１Ａの第２のＤＣＩを検出するように構成される。
【０１０３】
オプションとして、決定ユニット３０１は具体的に、上位層シグナリングに基づいて第１の探索空間を決定するように構成される。ここで、上位層シグナリングは、第１の探索空間の集約レベルおよび制御チャネル候補数のうちの少なくとも一方を示す。
【０１０４】
オプションとして、第１の探索空間は、ＰＤＣＣＨ  ＵＥＳＳ内の幾つかの制御チャネル候補を含む探索空間である。
【０１０５】
オプションとして、第１の探索空間は、ＰＤＣＣＨ  ＣＳＳと、ＰＤＣＣＨ  ＵＥＳＳ内の幾つかの制御チャネル候補を含む探索空間とを含み、第１タイプのＤＣＩは少なくとも第１のＤＣＩおよび第３のＤＣＩを含む。ここで、第１のＤＣＩは、第３のＤＣＩに基づいて第１の時間長のデータ伝送を実行するよう端末デバイスに指示する情報を含む。
【０１０６】
オプションとして、検出ユニット３０２は更に、ＰＤＣＣＨ  ＣＳＳにおいて第３のＤＣＩを検出すること、および、ＰＤＣＣＨ  ＵＥＳＳ内の幾つかの制御チャネル候補を含む探索空間において第１のＤＣＩを検出すること、または、端末デバイスが第３のＤＣＩを検出する場合に、ＰＤＣＣＨ  ＵＥＳＳ内の幾つかの制御チャネル候補を含む探索空間において第１のＤＣＩを検出することを行うように構成される。
【０１０７】
オプションとして、ＰＤＣＣＨ  ＵＥＳＳ内の幾つかの制御チャネル候補を含む探索空間は、集約レベル１を有する、ＰＤＣＣＨ  ＵＥＳＳ内のＡ個の制御チャネル候補を含む探索空間、集約レベル２を有する、ＰＤＣＣＨ  ＵＥＳＳ内のＢ個の制御チャネル候補を含む探索空間、集約レベル４を有する、ＰＤＣＣＨ  ＵＥＳＳ内のＣ個の制御チャネル候補を含む探索空間、および、集約レベル８を有する、ＰＤＣＣＨ  ＵＥＳＳ内のＤ個の制御チャネル候補を含む探索空間といった探索空間のうちの少なくとも１つを含む。ここで、Ａは６未満の正の整数であり、Ｂは６未満の正の整数であり、Ｃは１または２であり、Ｄは１または２である。
【０１０８】
オプションとして、第１の探索空間はＰＤＣＣＨ  ＣＳＳであり、検出ユニット３０２は更に、ＰＤＣＣＨ  ＣＳＳにおいて第３のＤＣＩを検出するように構成される。これに応じて、決定ユニット３０１は更に、第３のＤＣＩ内のｓＰＤＣＣＨ構成情報に基づいて第３の探索空間を決定するように構成される。時間単位ａまたは時間単位ｂにｓＰＤＣＣＨ領域がないことをｓＰＤＣＣＨ構成情報が示す場合、第３の探索空間は、ＰＤＣＣＨ  ＵＥＳＳ内の幾つかの制御チャネル候補を含む探索空間を含む。時間単位ａまたは時間単位ｂにｓＰＤＣＣＨ領域があることをｓＰＤＣＣＨ構成情報が示す場合、第３の探索空間は、時間単位ａまたは時間単位ｂのｓＰＤＣＣＨ領域に配置される。これに応じて、検出ユニット３０２は更に、第３の探索空間において第１のＤＣＩを検出するように構成される。詳細については、上述の実施形態の説明を参照されたい。ここでは詳細について再び説明しない。
【０１０９】
図４は、本願に係るネットワークデバイスのある実施形態の概略構造図である。ネットワークデバイスは、図２に対応する制御情報送信方法を実行するように構成されてよい。図４に示されているように、ネットワークデバイスは、処理ユニット４０１および送信ユニット４０２を含んでよい。
【０１１０】
処理ユニット４０１は、第１の探索空間および第２の探索空間のうちの少なくとも一方を決定するように構成される。ここで、第１の探索空間は第２の探索空間の一部である。送信ユニット４０２は、少なくとも１つの探索空間において少なくとも１つのダウンリンク制御情報ＤＣＩを送信するように構成される。ここで、少なくとも１つのＤＣＩは第１タイプのＤＣＩおよび第２タイプのＤＣＩのうちの少なくとも一方であり、第１タイプのＤＣＩは第１の探索空間により搬送され、第２タイプのＤＣＩは第２の探索空間により搬送され、第１タイプのＤＣＩは、第１の時間長のデータ伝送をスケジューリングするために使用され、第２タイプのＤＣＩは、第２の時間長のデータ伝送をスケジューリングするために使用され、第１の時間長は第２の時間長より短い。
【０１１１】
オプションとして、第２の時間長は１ｍｓであり、第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む。
【０１１２】
オプションとして、第１タイプのＤＣＩは少なくとも第１のＤＣＩを含み、第２タイプのＤＣＩは少なくとも第２のＤＣＩを含み、第１のＤＣＩの情報ビット数が第２のＤＣＩの情報ビット数と同じである。
【０１１３】
オプションとして、送信ユニット４０２は更に、第２の探索空間において少なくともＤＣＩフォーマット１Ａの第２のＤＣＩを送信するように構成される。
【０１１４】
オプションとして、送信ユニット４０２は更に、上位層シグナリングを送信するように構成される。ここで、上位層シグナリングは、第１の探索空間の集約レベルおよび制御チャネル候補数のうちの少なくとも一方を示す。
【０１１５】
オプションとして、第１の探索空間は、ＰＤＣＣＨ  ＵＥＳＳ内の幾つかの制御チャネル候補を含む探索空間である。
【０１１６】
オプションとして、第１の探索空間は、ＰＤＣＣＨ  ＣＳＳと、ＰＤＣＣＨ  ＵＥＳＳ内の幾つかの制御チャネル候補を含む探索空間とを含み、第１タイプのＤＣＩは少なくとも第１のＤＣＩおよび第３のＤＣＩを含む。ここで、第１のＤＣＩは、第３のＤＣＩに基づいて第１の時間長のデータ伝送を実行するよう端末デバイスに指示する情報を含む。
【０１１７】
オプションとして、送信ユニット４０２は更に、ＰＤＣＣＨ  ＣＳＳにおいて第３のＤＣＩを送信すること、または、ＰＤＣＣＨ  ＵＥＳＳ内の幾つかの制御チャネル候補を含む探索空間において第１のＤＣＩを送信すること、または、ＰＤＣＣＨ  ＣＳＳにおいて第３のＤＣＩを送信し、ＰＤＣＣＨ  ＵＥＳＳ内の幾つかの制御チャネル候補を含む探索空間において第１のＤＣＩを送信することを行うように構成される。
【０１１８】
オプションとして、ＰＤＣＣＨ  ＵＥＳＳ内の幾つかの制御チャネル候補を含む探索空間は少なくとも、集約レベル１を有する、ＰＤＣＣＨ  ＵＥＳＳ内のＡ個の制御チャネル候補を含む探索空間、または、集約レベル２を有する、ＰＤＣＣＨ  ＵＥＳＳ内のＢ個の制御チャネル候補を含む探索空間、または、集約レベル４を有する、ＰＤＣＣＨ  ＵＥＳＳ内のＣ個の制御チャネル候補を含む探索空間、または、集約レベル８を有する、ＰＤＣＣＨ  ＵＥＳＳ内のＤ個の制御チャネル候補を含む探索空間を含む。ここで、Ａは６未満の正の整数であり、Ｂは６未満の正の整数であり、Ｃは１または２であり、Ｄは１または２である。
【０１１９】
図５は、本願に係る端末デバイスの別の実施形態の概略構造図である。
【０１２０】
図５は、本願に係る端末デバイスの別の実施形態の概略構造図である。端末デバイスは、上述の実施形態のうちの何れか１つにおける端末デバイスであってよく、図１に示されている制御情報検出方法における方法の段階を実行するように構成されてよい。
【０１２１】
図５に示されているように、端末デバイスは、プロセッサ５０１、メモリ５０２およびトランシーバ５０３を含んでよい。トランシーバ５０３は、受信機５０３１、伝送機５０３２およびアンテナ５０３３などのコンポーネントを含んでよい。端末デバイスは更に、より多いかより少ないコンポーネントを含んでもよいし、幾つかのコンポーネントを組み合わせてもよいし、複数の異なるコンポーネント配置を有してもよい。これは本願において限定されない。
【０１２２】
プロセッサ５０１は、端末デバイスの制御センタであり、様々なインタフェースおよび回線を用いて端末デバイス全体の各部を接続し、メモリ５０２に記憶されているソフトウェアプログラムおよび／またはモジュールを動作させるか実行すること、および、メモリに記憶されているデータを呼び出すことにより、端末デバイスの様々な機能を実行する、および／または、データを処理する。プロセッサ５０１は、集積回路（ｉｎｔｅｇｒａｔｅｄ  ｃｉｒｃｕｉｔ、ＩＣ）を含んでもよい、例えば、単一のパッケージＩＣを含んでもよいし、同じ機能または異なる機能を有する複数のパッケージＩＣを含んでもよい。例えば、プロセッサは、中央処理装置（ｃｅｎｔｒａｌ  ｐｒｏｃｅｓｓｉｎｇ  ｕｎｉｔ、ＣＰＵ）のみを含んでもよいし、ＧＰＵと、デジタル信号プロセッサ（ｄｉｇｉｔａｌ  ｓｉｇｎａｌ  ｐｒｏｃｅｓｓｏｒ、ＤＳＰ）と、トランシーバ５０３内の制御チップ（ベースバンドチップなど）との組み合わせであってもよい。本願のある実装において、ＣＰＵは単一の演算コアであってもよいし、複数の演算コアを含んでもよい。
【０１２３】
トランシーバ５０３が通信チャネルを確立するように構成されることで、端末デバイスが通信チャネルを介して受信デバイスに接続されることにより、端末デバイス間のデータ伝送が実装される。トランシーバ５０３は、無線ローカルエリアネットワーク（ｗｉｒｅｌｅｓｓ  ｌｏｃａｌ  ａｒｅａ  ｎｅｔｗｏｒｋ、ＷＬＡＮ）モジュール、ブルートゥース（登録商標）モジュールまたはベースバンド（ｂａｓｅｂａｎｄ）モジュールなどの通信モジュール、および、当該通信モジュールに対応する無線周波数（ｒａｄｉｏ  ｆｒｅｑｕｅｎｃｙ、ＲＦ）回路を含んでよく、無線ローカルエリアネットワーク通信、ブルートゥース（登録商標）通信、赤外線通信、および／または、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））および／または高速ダウンリンクパケットアクセス（ｈｉｇｈ  ｓｐｅｅｄ  ｄｏｗｎｌｉｎｋ  ｐａｃｋｅｔ  ａｃｃｅｓｓ、ＨＳＤＰＡ）などのセルラ通信システム通信を実行するように構成される。トランシーバ５０３は、端末デバイス内のコンポーネント間の通信を制御するように構成され、ダイレクトメモリアクセス（ｄｉｒｅｃｔ  ｍｅｍｏｒｙ  ａｃｃｅｓｓ）を支援することができる。
【０１２４】
本願の異なる実装では、トランシーバ５０３内の様々なトランシーバ５０３が、大抵は集積回路チップ（ｉｎｔｅｇｒａｔｅｄ  ｃｉｒｃｕｉｔ  ｃｈｉｐ）の形態であり、選択的に組み合わされ得るが、これら全てのトランシーバ５０３および対応するアンテナ群を含んでいるわけではない。例えば、トランシーバ５０３は、セルラ通信システムにおいて通信機能を提供すべく、ベースバンドチップ、無線周波数チップおよび対応するアンテナのみを含んでよい。端末デバイスは、無線ローカルエリアネットワークアクセスまたはＷＣＤＭＡ（登録商標）アクセスなど、トランシーバ５０３により確立される無線通信接続を介して、セルラネットワーク（ｃｅｌｌｕｌａｒ  ｎｅｔｗｏｒｋ）またはインターネット（ｉｎｔｅｒｎｅｔ）に接続されてよい。本願の幾つかの任意選択的な実装において、トランシーバ５０３内のベースバンドモジュールなどの通信モジュールは、一般に、クアルコム（Ｑｕａｌｃｏｍｍ）が提供するＡＰＱ＋ＭＤＭシリーズのプラットフォームのようなプロセッサに統合されてよい。無線周波数回路は、情報の送受信の処理中または通話中に信号を送受信するように構成される。例えば、ネットワークデバイスのダウンリンク情報が受信された後、処理のためにプロセッサへ送信される。加えて、関連するアップリンクデータがネットワークデバイスに送信される。大抵、無線周波数回路は、以下に限定されるわけではないが、アンテナシステム、無線周波数トランシーバ、１つまたは複数の増幅器、チューナ、１つまたは複数の発振器、デジタル信号プロセッサ、コーデック（ｃｏｄｅｃ）チップセット、加入者識別モジュール（ＳＩＭ）カードおよびメモリなどを含む、これらの機能を実行するための周知の回路を含む。加えて、無線周波数回路は更に、無線通信でネットワークおよび別のデバイスと通信してよい。無線通信は、以下に限定されるわけではないが、グローバルシステム・フォー・モバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、汎用パケット無線サービス（ｇｅｎｅｒａｌ  ｐａｃｋｅｔ  ｒａｄｉｏ  ｓｅｒｖｉｃｅ、ｇｐｒｓ）、符号分割多元接続（ｃｏｄｅ  ｄｉｖｉｓｉｏｎ  ｍｕｌｔｉｐｌｅ  ａｃｃｅｓｓ、ＣＤＭＡ）、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））、高速アップリンクパケットアクセス（ｈｉｇｈ  ｓｐｅｅｄ  ｕｐｌｉｎｋ  ｐａｃｋｅｔ  ａｃｃｅｓｓ、ＨＳＵＰＡ）、ロングタームエボリューション（ｌｏｎｇ  ｔｅｒｍ  ｅｖｏｌｕｔｉｏｎ、ＬＴＥ）、ｅメールおよびショートメッセージサービス（ｓｈｏｒｔ  ｍｅｓｓａｇｉｎｇ  ｓｅｒｖｉｃｅ、ＳＭＳ）などを含む、任意の通信規格または通信プロトコルを使用してよい。
【０１２５】
本願のこの実施形態において、端末デバイスは、上述の実施形態における制御情報検出方法に含まれる方法の段階を実装するように構成されてよい。決定ユニット３０１で実装される機能がプロセッサ５０１で実装されてよく、ハードウェア内のプロセッサ５０１として表されてよい。検出ユニット３０２送信ユニットで実装される機能が端末デバイスのプロセッサ５０１で実装されてもよいし、プロセッサ５０１により制御されるトランシーバ５０３で実装されてもよく、ハードウェアにおいては、プロセッサ５０１として表されても、プロセッサ５０１とトランシーバ５０３との組み合わせとして表されてもよい。
【０１２６】
図６は、本願に係るネットワークデバイスの別の実施形態の概略構造図である。この実施形態におけるネットワークデバイスは、図１に示されている制御情報送信方法における方法の段階を実行するように構成されてよい。図６に示されているように、ネットワークデバイスは、プロセッサ６０１、メモリ６０２およびトランシーバ６０３などを含んでよい。
【０１２７】
プロセッサ６０１は、ネットワークデバイスの制御センタであり、様々なインタフェースおよび回線を用いてネットワークデバイス全体の各部を接続し、メモリに記憶されているソフトウェアプログラムおよび／またはモジュールを動作させるか実行すること、および、メモリに記憶されているデータを呼び出すことにより、ネットワークデバイスの様々な機能を実行する、および／または、データを処理する。プロセッサは、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、または、ＣＰＵとＮＰとの組み合わせであってよい。プロセッサは更にハードウェアチップを含んでよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、または、これらの組み合わせであってよい。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、または、これらの任意の組み合わせであってよい。
【０１２８】
メモリ６０２は、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒｙ、ＲＡＭ）を含んでもよいし、不揮発性メモリ（ｎｏｎ−ｖｏｌａｔｉｌｅ  ｍｅｍｏｒｙ）、例えば、フラッシュメモリ（ｆｌａｓｈ  ｍｅｍｏｒｙ）、ハードディスク（ｈａｒｄ  ｄｉｓｋ  ｄｒｉｖｅ、ＨＤＤ）またはソリッドステートドライブ（ｓｏｌｉｄ  ｓｔａｔｅ  ｄｒｉｖｅ、ＳＳＤ）を含んでもよい。メモリは代わりに、上述のタイプのメモリの組み合わせを含んでもよい。メモリは、プログラムまたはコードを記憶してよい。ネットワーク要素内のプロセッサが、プログラムまたはコードを実行することによりネットワーク要素の機能を実装することができる。
【０１２９】
本願のこの実施形態において、ネットワークデバイスは、上述の実施形態における制御情報送信方法に含まれる方法の段階を実装するように構成されてよい。処理ユニット４０１で実装される機能がプロセッサ６０１で実装されてよく、ハードウェア内のプロセッサ６０１として表されてよい。検出ユニット３０２で実装される機能が端末デバイスのプロセッサ６０１で実装されてもよいし、プロセッサ６０１により制御されるトランシーバ６０３で実装されてもよく、ハードウェアにおいては、プロセッサ６０１として表されても、プロセッサ６０１とトランシーバ６０３との組み合わせとして表されてもよい。
【０１３０】
特定の実装において、本願は更にコンピュータ記憶媒体を提供する。コンピュータ記憶媒体はプログラムを記憶してよい。プログラムが実行されると、本願で提供される制御情報検出方法または制御情報送信方法の実施形態における段階のうちの幾つかまたは全てが実行され得る。記憶媒体は、磁気ディスク、光ディスク、リードオンリメモリ（ｒｅａｄ−ｏｎｌｙ  ｍｅｍｏｒｙ、ＲＯＭ）またはランダムアクセスメモリ（ｒａｎｄｏｍ  ａｃｃｅｓｓ  ｍｅｍｏｒｙ、ＲＡＭ）などであってよい。
【０１３１】
当業者であれば、本願の実施形態における技術が、必要な汎用ハードウェアプラットフォームに加えてソフトウェアでも実装され得ることを明確に理解することができる。このような理解に基づいて、本願の実施形態における技術的解決手段が本質的にソフトウェア製品の形態で実装されてもよいし、従来技術に貢献している部分がソフトウェア製品の形態で実装されてよい。コンピュータソフトウェア製品は、ＲＯＭ／ＲＡＭ、磁気ディスクまたは光ディスクなどの記憶媒体に記憶されてよく、本願の実施形態または実施形態の幾つかの部分において説明されている方法を実行するようコンピュータデバイス（パーソナルコンピュータ、サーバまたはネットワークデバイスなどであってよい）に指示するための命令を幾つか含む。
【０１３２】
本明細書の実施形態における同じ部分および同様の部分については、これらの実施形態間で相互参照を行ってよい。特に、デバイスの実施形態は基本的に方法の実施形態と同様であるため、簡単に説明されている。関連する部分については、方法の実施形態における説明を参照されたい。
【０１３３】
ここで、本願の実施形態はそれぞれＬＴＥシステムを例に用いて説明されていることに留意されたい。しかしながら、これは、本願の実施形態がＬＴＥシステムにのみ適用可能であることを意味しているわけではない。実際、本願の実施形態において提供される解決手段は、スケジューリングによりデータ伝送を実行する任意の無線通信システムに使用され得る。上述の説明は本願の実装であり、本願の保護範囲を限定しようと意図するものではない。
【図１】
2020501411.tif 000003
【図２】
2020501411.tif 000004
【図３】
2020501411.tif 000005
【図４】
2020501411.tif 000006
【図５】
2020501411.tif 000007
【図６】
2020501411.tif 000008
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
端末デバイスが第１の探索空間および第２の探索空間を決定する段階であって、前記第１の探索空間は、前記第２の探索空間の一部である、決定する段階と、
前記端末デバイスが前記第１の探索空間において少なくとも１つの第１タイプのダウンリンク制御情報（ＤＣＩ）を検出する段階と、
前記端末デバイスが前記第２の探索空間において少なくとも１つの第２タイプのＤＣＩを検出する段階と
を備える制御情報検出方法であって、
前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、方法。
【請求項２】
前記第２の時間長は、１ｍｓであり、
前記第２の探索空間は、物理ダウンリンク制御チャネル・共通探索空間（ＰＤＣＣＨ  ＣＳＳ）および物理ダウンリンク制御チャネル・ユーザ機器固有探索空間（ＰＤＣＣＨ  ＵＥＳＳ）を含む、請求項１に記載の方法。
【請求項３】
端末デバイスが第１の探索空間および第２の探索空間を決定する前記段階は、
前記端末デバイスが上位層シグナリングに基づいて前記第１の探索空間および／または前記第２の探索空間を決定する段階を含み、
前記上位層シグナリングは、前記第１の探索空間の集約レベルおよび制御チャネル候補数のうちの少なくとも一方を示す、および／または、
前記上位層シグナリングは、前記第２の探索空間の集約レベルおよび制御チャネル候補数のうちの少なくとも一方を示す、請求項１または２に記載の方法。
【請求項４】
前記第１の探索空間は、前記ＰＤＣＣＨ  ＵＥＳＳ内の制御チャネル候補のうちの一部から成る探索空間である、請求項２または３に記載の方法。
【請求項５】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項２または３に記載の方法。
【請求項６】
前記端末デバイスが前記第１の探索空間において少なくとも１つの第１タイプのＤＣＩを検出する前記段階は、
前記端末デバイスが前記ＰＤＣＣＨ  ＣＳＳにおいて前記第３のＤＣＩを検出する段階、および、
前記端末デバイスが前記ＰＤＣＣＨ  ＵＥＳＳ内の制御チャネル候補のうちの一部から成る前記探索空間において前記第１のＤＣＩを検出する段階、または、
前記端末デバイスが前記第３のＤＣＩを検出する場合に、前記端末デバイスが前記ＰＤＣＣＨ  ＵＥＳＳ内の制御チャネル候補のうちの一部から成る前記探索空間において前記第１のＤＣＩを検出する段階
を含む、請求項５に記載の方法。
【請求項７】
前記第３のＤＣＩは、ＰＤＣＣＨ  ｆｏｒ  ｓｈｏｒｔ  ＴＴＩ（ｓＰＤＣＣＨ）構成情報を含む、または、
前記第３のＤＣＩは、アップリンクグラント構成情報を含む、請求項５または６に記載の方法。
【請求項８】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内のＡ個の制御チャネル候補から成る探索空間、
集約レベル２を有する、前記ＰＤＣＣＨ  ＵＥＳＳ内のＢ個の制御チャネル候補から成る探索空間、
集約レベル４を有する、前記ＰＤＣＣＨ  ＵＥＳＳ内のＣ個の制御チャネル候補から成る探索空間、および、
集約レベル８を有する、前記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項４から７の何れか一項に記載の方法。
【請求項９】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内の最初のＡ個の制御チャネル候補から成る探索空間、
集約レベル２を有する、前記ＰＤＣＣＨ  ＵＥＳＳ内の最初のＢ個の制御チャネル候補から成る探索空間、
集約レベル４を有する、前記ＰＤＣＣＨ  ＵＥＳＳ内の最初のＣ個の制御チャネル候補から成る探索空間、および、
集約レベル８を有する、前記ＰＤＣＣＨ  ＵＥＳＳ内の最初のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項４から７の何れか一項に記載の方法。
【請求項１０】
前記第２の時間長は、１ｍｓであり、前記第１の時間長は、２シンボルまたは３シンボルである、
前記第２の時間長は、１ｍｓであり、前記第１の時間長は、１シンボル、２シンボルまたは３シンボルのうちの１つである、
前記第２の時間長は、１ｍｓであり、前記第１の時間長は、４シンボルである、
前記第２の時間長は、１ｍｓであり、前記第１の時間長は、７シンボルである、または、
前記第２の時間長は、１ｍｓであり、前記第１の時間長は、６シンボルである、請求項１から９の何れか一項に記載の方法。
【請求項１１】
制御情報送信方法であって、
ネットワークデバイスが第１の探索空間および第２の探索空間のうちの少なくとも一方を決定する段階であって、前記第１の探索空間は、前記第２の探索空間の一部である、決定する段階と、
前記ネットワークデバイスが前記少なくとも１つの探索空間において少なくとも１つのダウンリンク制御情報（ＤＣＩ）を送信する段階であって、前記少なくとも１つのＤＣＩは、第１タイプのＤＣＩおよび第２タイプのＤＣＩのうちの少なくとも一方であり、前記第１タイプのＤＣＩは、前記第１の探索空間により搬送され、前記第２タイプのＤＣＩは、前記第２の探索空間により搬送され、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、送信する段階と
を備える方法。
【請求項１２】
前記第２の時間長は、１ｍｓであり、
前記第２の探索空間は、物理ダウンリンク制御チャネル・共通探索空間（ＰＤＣＣＨ  ＣＳＳ）および物理ダウンリンク制御チャネル・ユーザ機器固有探索空間（ＰＤＣＣＨ  ＵＥＳＳ）を含む、請求項１１に記載の方法。
【請求項１３】
前記ネットワークデバイスが前記第１の探索空間および前記第２の探索空間のうちの少なくとも一方を決定した後、前記方法は更に、
前記ネットワークデバイスが上位層シグナリングを送信する段階を備え、
前記上位層シグナリングは、前記第１の探索空間の集約レベルおよび制御チャネル候補数のうちの少なくとも一方を示す、および／または、
前記上位層シグナリングは、前記第２の探索空間の集約レベルおよび制御チャネル候補数のうちの少なくとも一方を示す、請求項１１または１２に記載の方法。
【請求項１４】
前記第１の探索空間は、前記ＰＤＣＣＨ  ＵＥＳＳ内の制御チャネル候補のうちの一部から成る探索空間である、請求項１２または１３に記載の方法。
【請求項１５】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも第１のＤＣＩおよび第３のＤＣＩを含み、
前記第１のＤＣＩは、前記第３のＤＣＩに基づいて前記第１の時間長のデータ伝送を実行するよう端末デバイスに指示する情報を含む、請求項１２または１３に記載の方法。
【請求項１６】
前記ネットワークデバイスが前記少なくとも１つの探索空間において少なくとも１つのＤＣＩを送信する前記段階は、
前記ネットワークデバイスが前記ＰＤＣＣＨ  ＣＳＳにおいて前記第３のＤＣＩを送信する段階、または、
前記ネットワークデバイスが前記ＰＤＣＣＨ  ＵＥＳＳ内の制御チャネル候補のうちの一部から成る前記探索空間において前記第１のＤＣＩを送信する段階、または、
前記ネットワークデバイスが、前記ＰＤＣＣＨ  ＣＳＳにおいて前記第３のＤＣＩを送信し、前記ＰＤＣＣＨ  ＵＥＳＳ内の制御チャネル候補のうちの一部から成る前記探索空間において前記第１のＤＣＩを送信する段階
を含む、請求項１５に記載の方法。
【請求項１７】
前記第３のＤＣＩは、ＰＤＣＣＨ  ｆｏｒ  ｓｈｏｒｔ  ＴＴＩ（ｓＰＤＣＣＨ）構成情報を含む、または、
前記第３のＤＣＩは、アップリンクグラント構成情報を含む、請求項１５または１６に記載の方法。
【請求項１８】
前記ＰＤＣＣＨ  ＵＥＳＳ内の制御チャネル候補のうちの一部から成る前記探索空間は少なくとも、
集約レベル１を有する、前記ＰＤＣＣＨ  ＵＥＳＳ内のＡ個の制御チャネル候補から成る探索空間、または、
集約レベル２を有する、前記ＰＤＣＣＨ  ＵＥＳＳ内のＢ個の制御チャネル候補から成る探索空間、または、
集約レベル４を有する、前記ＰＤＣＣＨ  ＵＥＳＳ内のＣ個の制御チャネル候補から成る探索空間、または、
集約レベル８を有する、前記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、請求項１４から１７の何れか一項に記載の方法。
【請求項１９】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内の最初のＡ個の制御チャネル候補から成る探索空間、
集約レベル２を有する、前記ＰＤＣＣＨ  ＵＥＳＳ内の最初のＢ個の制御チャネル候補から成る探索空間、
集約レベル４を有する、前記ＰＤＣＣＨ  ＵＥＳＳ内の最初のＣ個の制御チャネル候補から成る探索空間、および、
集約レベル８を有する、前記ＰＤＣＣＨ  ＵＥＳＳ内の最初のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項１４から１７の何れか一項に記載の方法。
【請求項２０】
前記第２の時間長は、１ｍｓであり、前記第１の時間長は、２シンボルまたは３シンボルである、
前記第２の時間長は、１ｍｓであり、前記第１の時間長は、１シンボル、２シンボルまたは３シンボルのうちの１つである、
前記第２の時間長は、１ｍｓであり、前記第１の時間長は、４シンボルである、
前記第２の時間長は、１ｍｓであり、前記第１の時間長は、７シンボルである、または、
前記第２の時間長は、１ｍｓであり、前記第１の時間長は、６シンボルである、請求項１１から１９の何れか一項に記載の方法。
【請求項２１】
第１の探索空間および第２の探索空間を決定するように構成されている決定ユニットであって、前記第１の探索空間は、前記第２の探索空間の一部である、決定ユニットと、
前記第１の探索空間において少なくとも１つの第１タイプのダウンリンク制御情報（ＤＣＩ）を検出し、かつ、前記第２の探索空間において少なくとも１つの第２タイプのＤＣＩを検出するように構成されている検出ユニットであって、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、検出ユニットと
を備える端末デバイス。
【請求項２２】
前記第２の時間長は、１ｍｓであり、
前記第２の探索空間は、物理ダウンリンク制御チャネル・共通探索空間（ＰＤＣＣＨ  ＣＳＳ）および物理ダウンリンク制御チャネル・ユーザ機器固有探索空間（ＰＤＣＣＨ  ＵＥＳＳ）を含む、請求項２１に記載の端末デバイス。
【請求項２３】
前記決定ユニットは、上位層シグナリングに基づいて前記第１の探索空間および／または前記第２の探索空間を決定するように構成され、
前記上位層シグナリングは、前記第１の探索空間の集約レベルおよび制御チャネル候補数のうちの少なくとも一方を示す、および／または、
前記上位層シグナリングは、前記第２の探索空間の集約レベルおよび制御チャネル候補数のうちの少なくとも一方を示す、請求項２１または２２に記載の端末デバイス。
【請求項２４】
前記第１の探索空間は、前記ＰＤＣＣＨ  ＵＥＳＳ内の制御チャネル候補のうちの一部から成る探索空間である、請求項２２または２３に記載の端末デバイス。
【請求項２５】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも第１のＤＣＩおよび第３のＤＣＩを含み、
前記第１のＤＣＩは、前記第３のＤＣＩに基づいて前記第１の時間長のデータ伝送を実行するよう前記端末デバイスに指示する情報を含む、請求項２２または２３に記載の端末デバイス。
【請求項２６】
前記検出ユニットは更に、前記ＰＤＣＣＨ  ＣＳＳにおいて前記第３のＤＣＩを検出すること、および、前記ＰＤＣＣＨ  ＵＥＳＳ内の制御チャネル候補のうちの一部から成る前記探索空間において前記第１のＤＣＩを検出すること、または、前記検出ユニットが前記第３のＤＣＩを検出する場合に、前記ＰＤＣＣＨ  ＵＥＳＳ内の制御チャネル候補のうちの一部から成る前記探索空間において前記第１のＤＣＩを検出することを行うように構成される、請求項２５に記載の端末デバイス。
【請求項２７】
前記第３のＤＣＩは、ＰＤＣＣＨ  ｆｏｒ  ｓｈｏｒｔ  ＴＴＩ（ｓＰＤＣＣＨ）構成情報を含む、または、
前記第３のＤＣＩは、アップリンクグラント構成情報を含む、請求項２５または２６に記載の端末デバイス。
【請求項２８】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内のＡ個の制御チャネル候補から成る探索空間、
集約レベル２を有する、前記ＰＤＣＣＨ  ＵＥＳＳ内のＢ個の制御チャネル候補から成る探索空間、
集約レベル４を有する、前記ＰＤＣＣＨ  ＵＥＳＳ内のＣ個の制御チャネル候補から成る探索空間、および、
集約レベル８を有する、前記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項２４から２７の何れか一項に記載の端末デバイス。
【請求項２９】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内の最初のＡ個の制御チャネル候補から成る探索空間、
集約レベル２を有する、前記ＰＤＣＣＨ  ＵＥＳＳ内の最初のＢ個の制御チャネル候補から成る探索空間、
集約レベル４を有する、前記ＰＤＣＣＨ  ＵＥＳＳ内の最初のＣ個の制御チャネル候補から成る探索空間、および、
集約レベル８を有する、前記ＰＤＣＣＨ  ＵＥＳＳ内の最初のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項２４から２７の何れか一項に記載の端末デバイス。
【請求項３０】
前記第２の時間長は、１ｍｓであり、前記第１の時間長は、２シンボルまたは３シンボルである、
前記第２の時間長は、１ｍｓであり、前記第１の時間長は、１シンボル、２シンボルまたは３シンボルのうちの１つである、
前記第２の時間長は、１ｍｓであり、前記第１の時間長は、４シンボルである、
前記第２の時間長は、１ｍｓであり、前記第１の時間長は、７シンボルである、または、
前記第２の時間長は、１ｍｓであり、前記第１の時間長は、６シンボルである、請求項２１から２９の何れか一項に記載の端末デバイス。
【請求項３１】
第１の探索空間および第２の探索空間のうちの少なくとも一方を決定するように構成されている処理ユニットであって、前記第１の探索空間は、前記第２の探索空間の一部である、処理ユニットと、
前記少なくとも１つの探索空間において少なくとも１つのダウンリンク制御情報（ＤＣＩ）を送信するように構成されている送信ユニットであって、前記少なくとも１つのＤＣＩは、第１タイプのＤＣＩおよび第２タイプのＤＣＩのうちの少なくとも一方であり、前記第１タイプのＤＣＩは、前記第１の探索空間により搬送され、前記第２タイプのＤＣＩは、前記第２の探索空間により搬送され、前記第１タイプのＤＣＩは、第１の時間長のデータ伝送をスケジューリングするために使用され、前記第２タイプのＤＣＩは、第２の時間長のデータ伝送をスケジューリングするために使用され、前記第１の時間長は、前記第２の時間長より短い、送信ユニットと
を備えるネットワークデバイス。
【請求項３２】
前記第２の時間長は、１ｍｓであり、
前記第２の探索空間は、物理ダウンリンク制御チャネル・共通探索空間（ＰＤＣＣＨ  ＣＳＳ）および物理ダウンリンク制御チャネル・ユーザ機器固有探索空間（ＰＤＣＣＨ  ＵＥＳＳ）を含む、請求項３１に記載のネットワークデバイス。
【請求項３３】
前記送信ユニットは更に、上位層シグナリングを送信するように構成され、
前記上位層シグナリングは、前記第１の探索空間の集約レベルおよび制御チャネル候補数のうちの少なくとも一方を示す、および／または、
前記上位層シグナリングは、前記第２の探索空間の集約レベルおよび制御チャネル候補数のうちの少なくとも一方を示す、請求項３１または３２に記載のネットワークデバイス。
【請求項３４】
前記第１の探索空間は、前記ＰＤＣＣＨ  ＵＥＳＳ内の制御チャネル候補のうちの一部から成る探索空間である、請求項３２または３３に記載のネットワークデバイス。
【請求項３５】
前記第１の探索空間は、前記ＰＤＣＣＨ  ＣＳＳと、前記ＰＤＣＣＨ  ＵＥＳＳ内の制御チャネル候補のうちの一部から成る探索空間とを含み、
前記第１タイプのＤＣＩは、少なくとも第１のＤＣＩおよび第３のＤＣＩを含み、
前記第１のＤＣＩは、前記第３のＤＣＩに基づいて前記第１の時間長のデータ伝送を実行するよう端末デバイスに指示する情報を含む、請求項３２または３３に記載のネットワークデバイス。
【請求項３６】
前記送信ユニットは更に、前記ＰＤＣＣＨ  ＣＳＳにおいて前記第３のＤＣＩを送信すること、または、前記ＰＤＣＣＨ  ＵＥＳＳ内の制御チャネル候補のうちの一部から成る前記探索空間において前記第１のＤＣＩを送信すること、または、前記ＰＤＣＣＨ  ＣＳＳにおいて前記第３のＤＣＩを送信し、前記ＰＤＣＣＨ  ＵＥＳＳ内の制御チャネル候補のうちの一部から成る前記探索空間において前記第１のＤＣＩを送信することを行うように構成される、請求項３５に記載のネットワークデバイス。
【請求項３７】
前記第３のＤＣＩは、ＰＤＣＣＨ  ｆｏｒ  ｓｈｏｒｔ  ＴＴＩ（ｓＰＤＣＣＨ）構成情報を含む、または、
前記第３のＤＣＩは、アップリンクグラント構成情報を含む、請求項３５または３６に記載のネットワークデバイス。
【請求項３８】
前記ＰＤＣＣＨ  ＵＥＳＳ内の制御チャネル候補のうちの一部から成る前記探索空間は少なくとも、
集約レベル１を有する、前記ＰＤＣＣＨ  ＵＥＳＳ内のＡ個の制御チャネル候補から成る探索空間、または、
集約レベル２を有する、前記ＰＤＣＣＨ  ＵＥＳＳ内のＢ個の制御チャネル候補から成る探索空間、または、
集約レベル４を有する、前記ＰＤＣＣＨ  ＵＥＳＳ内のＣ個の制御チャネル候補から成る探索空間、または、
集約レベル８を有する、前記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、請求項３４から３７の何れか一項に記載のネットワークデバイス。
【請求項３９】
前記ＰＤＣＣＨ  ＵＥＳＳ内の制御チャネル候補のうちの一部から成る前記探索空間は、
集約レベル１を有する、前記ＰＤＣＣＨ  ＵＥＳＳ内の最初のＡ個の制御チャネル候補から成る探索空間、
集約レベル２を有する、前記ＰＤＣＣＨ  ＵＥＳＳ内の最初のＢ個の制御チャネル候補から成る探索空間、
集約レベル４を有する、前記ＰＤＣＣＨ  ＵＥＳＳ内の最初のＣ個の制御チャネル候補から成る探索空間、および、
集約レベル８を有する、前記ＰＤＣＣＨ  ＵＥＳＳ内の最初のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、請求項３４から３７の何れか一項に記載のネットワークデバイス。
【請求項４０】
前記第２の時間長は、１ｍｓであり、前記第１の時間長は、２シンボルまたは３シンボルである、
前記第２の時間長は、１ｍｓであり、前記第１の時間長は、１シンボル、２シンボルまたは３シンボルのうちの１つである、
前記第２の時間長は、１ｍｓであり、前記第１の時間長は、４シンボルである、
前記第２の時間長は、１ｍｓであり、前記第１の時間長は、７シンボルである、または、
前記第２の時間長は、１ｍｓであり、前記第１の時間長は、６シンボルである、請求項３１から３９の何れか一項に記載のネットワークデバイス。
【請求項４１】
命令を備えるコンピュータ可読記憶媒体であって、前記命令がコンピュータで実行されると、前記コンピュータは、請求項１から１０の何れか一項に記載の方法を実行する、または、前記コンピュータは、請求項１１から２０の何れか一項に記載の方法を実行する、コンピュータ可読記憶媒体。
【請求項４２】
コンピュータに請求項１から１０の何れか一項に記載の方法、または、請求項１１から２０の何れか一項に記載の方法を実行させるためのプログラム。
【請求項４３】
メモリと、プロセッサと、前記メモリに記憶され、かつ、前記プロセッサで実行され得る、コンピュータプログラムとを備える通信デバイスであって、前記コンピュータプログラムを実行すると、前記プロセッサは、請求項１から１０の何れか一項に記載の方法を実装する、または、請求項１１から２０の何れか一項に記載の方法を実装する、通信デバイス。
【手続補正２】
【補正対象書類名】明細書
【補正対象項目名】０００１
【補正方法】変更
【補正の内容】
【０００１】
本願は、２０１６年１１月３日に出願された「ＣＯＮＴＲＯＬ  ＩＮＦＯＲＭＡＴＩＯＮ  ＤＥＴＥＣＴＩＯＮ  ＭＥＴＨＯＤ，  ＣＯＮＴＲＯＬ  ＩＮＦＯＲＭＡＴＩＯＮ  ＳＥＮＤＩＮＧ  ＭＥＴＨＯＤ，  ＡＮＤ  ＤＥＶＩＣＥ」と題する中国特許出願第２０１６１０９５９４７９．０号への優先権を主張するものであり、その全体が参照によって本明細書に組み込まれる。
【手続補正３】
【補正対象書類名】明細書
【補正対象項目名】００４２
【補正方法】変更
【補正の内容】
【００４２】
本願の実施形態におけるネットワークデバイスは、基地局またはアクセスポイントであってもよいし、アクセスネットワークにあり、かつ、エアインタフェース上の１つまたは複数のセクタを用いて無線端末と通信する、デバイスであってもよい。基地局は、受信される無線フレームとＩＰパケットとの相互変換を行い、かつ、無線端末とアクセスネットワークの残りの部分との間のルータとして機能するように構成されてよい。ここで、アクセスネットワークの残りの部分は、インターネットプロトコル（Ｉｎｔｅｒｎｅｔ  ｐｒｏｔｏｃｏｌ、ＩＰ）ネットワークを含んでよい。基地局は、エアインタフェースの属性管理を調整してもよい。例えば、基地局は、５Ｇ  ｇノードＢ（ｇＮＢ、ｇＮｏｄｅＢ）であってもよいし、ＬＴＥの進化型ノードＢ（ｅＮＢまたはｅＮｏｄｅＢ、ｅｖｏｌｖｅｄ  ＮｏｄｅＢ）であってもよいし、ＧＳＭ（登録商標）またはＣＤＭＡのベーストランシーバ局（Ｂａｓｅ  Ｔｒａｎｓｃｅｉｖｅｒ  Ｓｔａｔｉｏｎ、ＢＴＳ）またはＷＣＤＭＡ（登録商標）のノードＢ（ＮｏｄｅＢ）でさえあってもよい。これは本願において限定されない。
【手続補正４】
【補正対象書類名】明細書
【補正対象項目名】００９６
【補正方法】変更
【補正の内容】
【００９６】
オプションとして、別の実装において、第１の探索空間および第２の探索空間のうちの少なくとも一方を決定した後、ネットワークデバイスは、第１の探索空間において少なくとも１つの第１タイプのＤＣＩを送信してもよいし、第２の探索空間において少なくとも１つの第２タイプのＤＣＩを送信してもよい、または、ネットワークデバイスは、第１の探索空間において少なくとも１つの第１タイプのＤＣＩを送信し、第２の探索空間において少なくとも１つの第２タイプのＤＣＩを送信する。例えば、ネットワークデバイスが第１の探索空間のみを決定する場合、ネットワークデバイスは第１の探索空間において少なくとも１つの第１タイプのＤＣＩを送信するだけでよく、ネットワークデバイスが第２の探索空間のみを決定する場合、ネットワークデバイスは第２の探索空間において少なくとも１つの第２タイプのＤＣＩを送信するだけでよく、ネットワークデバイスが第１の探索空間および第２の探索空間の両方を決定する場合、ネットワークデバイスは第１の探索空間において少なくとも１つの第１タイプのＤＣＩを送信するだけでもよいし、第２の探索空間において少なくとも１つの第２タイプのＤＣＩを送信するだけでもよいし、第１の探索空間において少なくとも１つの第１タイプのＤＣＩを送信すること、および、第２の探索空間において少なくとも１つの第２タイプのＤＣＩを送信することの両方を行ってもよい。
【手続補正５】
【補正対象書類名】明細書
【補正対象項目名】０１２０
【補正方法】変更
【補正の内容】
【０１２０】
端末デバイスは、上述の実施形態のうちの何れか１つにおける端末デバイスであってよく、図１に示されている制御情報検出方法における方法の段階を実行するように構成されてよい。
【手続補正６】
【補正対象書類名】明細書
【補正対象項目名】０１２４
【補正方法】変更
【補正の内容】
【０１２４】
本願の異なる実装では、端末デバイス内の様々なトランシーバ５０３が、大抵は集積回路チップ（ｉｎｔｅｇｒａｔｅｄ  ｃｉｒｃｕｉｔ  ｃｈｉｐ）の形態であり、選択的に組み合わされ得るが、これら全てのトランシーバ５０３および対応するアンテナ群を含んでいるわけではない。例えば、トランシーバ５０３は、セルラ通信システムにおいて通信機能を提供すべく、ベースバンドチップ、無線周波数チップおよび対応するアンテナのみを含んでよい。端末デバイスは、無線ローカルエリアネットワークアクセスまたはＷＣＤＭＡ（登録商標）アクセスなど、トランシーバ５０３により確立される無線通信接続を介して、セルラネットワーク（ｃｅｌｌｕｌａｒ  ｎｅｔｗｏｒｋ）またはインターネット（ｉｎｔｅｒｎｅｔ）に接続されてよい。本願の幾つかの任意選択的な実装において、トランシーバ５０３内のベースバンドモジュールなどの通信モジュールは、一般に、クアルコム（Ｑｕａｌｃｏｍｍ）が提供するＡＰＱ＋ＭＤＭシリーズのプラットフォームのようなプロセッサに統合されてよい。無線周波数回路は、情報の送受信の処理中または通話中に信号を送受信するように構成される。例えば、ネットワークデバイスのダウンリンク情報が受信された後、処理のためにプロセッサへ送信される。加えて、関連するアップリンクデータがネットワークデバイスに送信される。大抵、無線周波数回路は、以下に限定されるわけではないが、アンテナシステム、無線周波数トランシーバ、１つまたは複数の増幅器、チューナ、１つまたは複数の発振器、デジタル信号プロセッサ、コーデック（ｃｏｄｅｃ）チップセット、加入者識別モジュール（ＳＩＭ）カードおよびメモリなどを含む、これらの機能を実行するための周知の回路を含む。加えて、無線周波数回路は更に、無線通信でネットワークおよび別のデバイスと通信してよい。無線通信は、以下に限定されるわけではないが、グローバルシステム・フォー・モバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、汎用パケット無線サービス（ｇｅｎｅｒａｌ  ｐａｃｋｅｔ  ｒａｄｉｏ  ｓｅｒｖｉｃｅ、ｇｐｒｓ）、符号分割多元接続（ｃｏｄｅ  ｄｉｖｉｓｉｏｎ  ｍｕｌｔｉｐｌｅ  ａｃｃｅｓｓ、ＣＤＭＡ）、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））、高速アップリンクパケットアクセス（ｈｉｇｈ  ｓｐｅｅｄ  ｕｐｌｉｎｋ  ｐａｃｋｅｔ  ａｃｃｅｓｓ、ＨＳＵＰＡ）、ロングタームエボリューション（ｌｏｎｇ  ｔｅｒｍ  ｅｖｏｌｕｔｉｏｎ、ＬＴＥ）、ｅメールおよびショートメッセージサービス（ｓｈｏｒｔ  ｍｅｓｓａｇｉｎｇ  ｓｅｒｖｉｃｅ、ＳＭＳ）などを含む、任意の通信規格または通信プロトコルを使用してよい。
【手続補正７】
【補正対象書類名】明細書
【補正対象項目名】０１２５
【補正方法】変更
【補正の内容】
【０１２５】
本願のこの実施形態において、端末デバイスは、上述の実施形態における制御情報検出方法に含まれる方法の段階を実装するように構成されてよい。決定ユニット３０１で実装される機能がプロセッサ５０１で実装されてよく、ハードウェア内のプロセッサ５０１として表されてよい。検出ユニット３０２で実装される機能が端末デバイスのプロセッサ５０１で実装されてもよいし、プロセッサ５０１により制御されるトランシーバ５０３で実装されてもよく、ハードウェアにおいては、プロセッサ５０１として表されても、プロセッサ５０１とトランシーバ５０３との組み合わせとして表されてもよい。
【手続補正８】
【補正対象書類名】明細書
【補正対象項目名】０１２８
【補正方法】変更
【補正の内容】
【０１２８】
メモリ６０２は、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒｙ、ＲＡＭ）を含んでもよいし、不揮発性メモリ（ｎｏｎ−ｖｏｌａｔｉｌｅ  ｍｅｍｏｒｙ）、例えば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）またはソリッドステートドライブ（ｓｏｌｉｄ  ｓｔａｔｅ  ｄｒｉｖｅ、ＳＳＤ）を含んでもよい。メモリは代わりに、上述のタイプのメモリの組み合わせを含んでもよい。メモリは、プログラムまたはコードを記憶してよい。ネットワーク要素内のプロセッサが、プログラムまたはコードを実行することによりネットワーク要素の機能を実装することができる。
（項目１）
端末デバイスが第１の探索空間および第２の探索空間を決定する段階であって、上記第１の探索空間は、上記第２の探索空間の一部である、決定する段階と、
上記端末デバイスが上記第１の探索空間において少なくとも１つの第１タイプのダウンリンク制御情報ＤＣＩを検出する段階と、
上記端末デバイスが上記第２の探索空間において少なくとも１つの第２タイプのＤＣＩを検出する段階と
を備える制御情報検出方法であって、
上記第１タイプのＤＣＩは、第１の時間長のデータ伝送をスケジューリングするために使用され、上記第２タイプのＤＣＩは、第２の時間長のデータ伝送をスケジューリングするために使用され、上記第１の時間長は、上記第２の時間長より短い、方法。
（項目２）
上記第２の時間長は、１ｍｓであり、
上記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、項目１に記載の方法。
（項目３）
上記第１タイプのＤＣＩは、少なくとも第１のＤＣＩを含み、
上記第２タイプのＤＣＩは、少なくとも第２のＤＣＩを含み、
上記第１のＤＣＩの情報ビット数が、上記第２のＤＣＩの情報ビット数と同じである、項目２に記載の方法。
（項目４）
上記端末デバイスが上記第２の探索空間において少なくとも１つの第２タイプのＤＣＩを検出する上記段階は、
上記端末デバイスが上記第２の探索空間において少なくともＤＣＩフォーマット１Ａの第２のＤＣＩを検出する段階を含む、項目３に記載の方法。
（項目５）
端末デバイスが第１の探索空間を決定する上記段階は、
上記端末デバイスが上位層シグナリングに基づいて上記第１の探索空間を決定する段階であって、上記上位層シグナリングは、上記第１の探索空間の集約レベルおよび制御チャネル候補数のうちの少なくとも一方を示す、決定する段階を含む、項目１から４の何れか一項に記載の方法。
（項目６）
上記第１の探索空間は、上記ＰＤＣＣＨ  ＵＥＳＳ内の制御チャネル候補のうちの一部から成る探索空間である、項目１から５の何れか一項に記載の方法。
（項目７）
上記第１の探索空間は、上記ＰＤＣＣＨ  ＣＳＳと、上記ＰＤＣＣＨ  ＵＥＳＳ内の制御チャネル候補のうちの一部から成る探索空間とを含み、
上記第１タイプのＤＣＩは、少なくとも上記第１のＤＣＩおよび第３のＤＣＩを含み、
上記第１のＤＣＩは、上記第３のＤＣＩに基づいて上記第１の時間長のデータ伝送を実行するよう上記端末デバイスに指示する情報を含む、項目１から５の何れか一項に記載の方法。
（項目８）
上記端末デバイスが上記第１の探索空間において少なくとも１つの第１タイプのＤＣＩを検出する上記段階は、
上記端末デバイスが上記ＰＤＣＣＨ  ＣＳＳにおいて上記第３のＤＣＩを検出する段階、および、
上記端末デバイスが上記ＰＤＣＣＨ  ＵＥＳＳ内の制御チャネル候補のうちの一部から成る上記探索空間において上記第１のＤＣＩを検出する段階、または、
上記端末デバイスが上記第３のＤＣＩを検出する場合に、上記端末デバイスが上記ＰＤＣＣＨ  ＵＥＳＳ内の制御チャネル候補のうちの一部から成る上記探索空間において上記第１のＤＣＩを検出する段階
を含む、項目７に記載の方法。
（項目９）
上記ＰＤＣＣＨ  ＵＥＳＳ内の制御チャネル候補のうちの一部から成る上記探索空間は、
集約レベル１を有する、上記ＰＤＣＣＨ  ＵＥＳＳ内のＡ個の制御チャネル候補から成る探索空間、
集約レベル２を有する、上記ＰＤＣＣＨ  ＵＥＳＳ内のＢ個の制御チャネル候補から成る探索空間、
集約レベル４を有する、上記ＰＤＣＣＨ  ＵＥＳＳ内のＣ個の制御チャネル候補から成る探索空間、および、
集約レベル８を有する、上記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、項目６、７または８に記載の方法。
（項目１０）
制御情報送信方法であって、
ネットワークデバイスが第１の探索空間および第２の探索空間のうちの少なくとも一方を決定する段階であって、上記第１の探索空間は、上記第２の探索空間の一部である、決定する段階と、
上記ネットワークデバイスが上記少なくとも１つの探索空間において少なくとも１つのダウンリンク制御情報ＤＣＩを送信する段階であって、上記少なくとも１つのＤＣＩは、第１タイプのＤＣＩおよび第２タイプのＤＣＩのうちの少なくとも一方であり、上記第１タイプのＤＣＩは、上記第１の探索空間により搬送され、上記第２タイプのＤＣＩは、上記第２の探索空間により搬送され、上記第１タイプのＤＣＩは、第１の時間長のデータ伝送をスケジューリングするために使用され、上記第２タイプのＤＣＩは、第２の時間長のデータ伝送をスケジューリングするために使用され、上記第１の時間長は、上記第２の時間長より短い、送信する段階と
を備える方法。
（項目１１）
上記第２の時間長は、１ｍｓであり、
上記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、項目１０に記載の方法。
（項目１２）
上記第１タイプのＤＣＩは、少なくとも第１のＤＣＩを含み、
上記第２タイプのＤＣＩは、少なくとも第２のＤＣＩを含み、
上記第１のＤＣＩの情報ビット数が、上記第２のＤＣＩの情報ビット数と同じである、項目１１に記載の方法。
（項目１３）
上記ネットワークデバイスが上記少なくとも１つの探索空間において少なくとも１つのＤＣＩを送信する上記段階は、
上記ネットワークデバイスが上記第２の探索空間において少なくともＤＣＩフォーマット１Ａの第２のＤＣＩを送信する段階を含む、項目１２に記載の方法。
（項目１４）
上記ネットワークデバイスが上記第１の探索空間を決定した後、上記方法は更に、
上記ネットワークデバイスが上位層シグナリングを送信する段階を備え、上記上位層シグナリングは、上記第１の探索空間の集約レベルおよび制御チャネル候補数のうちの少なくとも一方を示す、項目１０から１３の何れか一項に記載の方法。
（項目１５）
上記第１の探索空間は、上記ＰＤＣＣＨ  ＵＥＳＳ内の制御チャネル候補のうちの一部から成る探索空間である、項目１０から１４の何れか一項に記載の方法。
（項目１６）
上記第１の探索空間は、上記ＰＤＣＣＨ  ＣＳＳと、上記ＰＤＣＣＨ  ＵＥＳＳ内の制御チャネル候補のうちの一部から成る探索空間とを含み、
上記第１タイプのＤＣＩは、少なくとも上記第１のＤＣＩおよび第３のＤＣＩを含み、
上記第１のＤＣＩは、上記第３のＤＣＩに基づいて上記第１の時間長のデータ伝送を実行するよう上記端末デバイスに指示する情報を含む、項目１０から１４の何れか一項に記載の方法。
（項目１７）
上記ネットワークデバイスが上記少なくとも１つの探索空間において少なくとも１つのＤＣＩを送信する上記段階は、
上記ネットワークデバイスが上記ＰＤＣＣＨ  ＣＳＳにおいて上記第３のＤＣＩを送信する段階、または、
上記ネットワークデバイスが上記ＰＤＣＣＨ  ＵＥＳＳ内の制御チャネル候補のうちの一部から成る上記探索空間において上記第１のＤＣＩを送信する段階、または、
上記ネットワークデバイスが、上記ＰＤＣＣＨ  ＣＳＳにおいて上記第３のＤＣＩを送信し、上記ＰＤＣＣＨ  ＵＥＳＳ内の制御チャネル候補のうちの一部から成る上記探索空間において上記第１のＤＣＩを送信する段階
を含む、項目１６に記載の方法。
（項目１８）
上記ＰＤＣＣＨ  ＵＥＳＳ内の制御チャネル候補のうちの一部から成る上記探索空間は少なくとも、
集約レベル１を有する、上記ＰＤＣＣＨ  ＵＥＳＳ内のＡ個の制御チャネル候補から成る探索空間、または、
集約レベル２を有する、上記ＰＤＣＣＨ  ＵＥＳＳ内のＢ個の制御チャネル候補から成る探索空間、または、
集約レベル４を有する、上記ＰＤＣＣＨ  ＵＥＳＳ内のＣ個の制御チャネル候補から成る探索空間、または、
集約レベル８を有する、上記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、項目１５、１６または１７に記載の方法。
（項目１９）
第１の探索空間および第２の探索空間を決定するように構成されている決定ユニットであって、上記第１の探索空間は、上記第２の探索空間の一部である、決定ユニットと、
上記第１の探索空間において少なくとも１つの第１タイプのＤＣＩを検出し、かつ、上記第２の探索空間において少なくとも１つの第２タイプのＤＣＩを検出するように構成されている検出ユニットであって、上記第１タイプのＤＣＩは、第１の時間長のデータ伝送をスケジューリングするために使用され、上記第２タイプのＤＣＩは、第２の時間長のデータ伝送をスケジューリングするために使用され、上記第１の時間長は、上記第２の時間長より短い、検出ユニットと
を備える端末デバイス。
（項目２０）
上記第２の時間長は、１ｍｓであり、
上記第２の探索空間は、ＰＤＣＣＨ  ＣＳＳおよびＰＤＣＣＨ  ＵＥＳＳを含む、項目１９に記載の端末デバイス。
（項目２１）
上記第１タイプのＤＣＩは、少なくとも第１のＤＣＩを含み、
上記第２タイプのＤＣＩは、少なくとも第２のＤＣＩを含み、
上記第１のＤＣＩの情報ビット数が、上記第２のＤＣＩの情報ビット数と同じである、項目２０に記載の端末デバイス。
（項目２２）
上記検出ユニットは更に、上記第２の探索空間において少なくともＤＣＩフォーマット１Ａの第２のＤＣＩを検出するように構成される、項目２１に記載の端末デバイス。
（項目２３）
上記決定ユニットは具体的に、上位層シグナリングに基づいて上記第１の探索空間を決定するように構成され、上記上位層シグナリングは、上記第１の探索空間の集約レベルおよび制御チャネル候補数のうちの少なくとも一方を示す、項目１９から２２の何れか一項に記載の端末デバイス。
（項目２４）
上記第１の探索空間は、上記ＰＤＣＣＨ  ＵＥＳＳ内の制御チャネル候補のうちの一部から成る探索空間である、項目１９から２３の何れか一項に記載の端末デバイス。
（項目２５）
上記第１の探索空間は、上記ＰＤＣＣＨ  ＣＳＳと、上記ＰＤＣＣＨ  ＵＥＳＳ内の制御チャネル候補のうちの一部から成る探索空間とを含み、
上記第１タイプのＤＣＩは、少なくとも上記第１のＤＣＩおよび第３のＤＣＩを含み、
上記第１のＤＣＩは、上記第３のＤＣＩに基づいて上記第１の時間長のデータ伝送を実行するよう上記端末デバイスに指示する情報を含む、項目１９から２３の何れか一項に記載の端末デバイス。
（項目２６）
上記検出ユニットは更に、上記ＰＤＣＣＨ  ＣＳＳにおいて上記第３のＤＣＩを検出すること、および、上記ＰＤＣＣＨ  ＵＥＳＳ内の制御チャネル候補のうちの一部から成る上記探索空間において上記第１のＤＣＩを検出すること、または、上記端末デバイスが上記第３のＤＣＩを検出する場合に、上記ＰＤＣＣＨ  ＵＥＳＳ内の制御チャネル候補のうちの一部から成る上記探索空間において上記第１のＤＣＩを検出することを行うように構成される、項目２５に記載の端末デバイス。
（項目２７）
上記ＰＤＣＣＨ  ＵＥＳＳ内の制御チャネル候補のうちの一部から成る上記探索空間は、
集約レベル１を有する、上記ＰＤＣＣＨ  ＵＥＳＳ内のＡ個の制御チャネル候補から成る探索空間、
集約レベル２を有する、上記ＰＤＣＣＨ  ＵＥＳＳ内のＢ個の制御チャネル候補から成る探索空間、
集約レベル４を有する、上記ＰＤＣＣＨ  ＵＥＳＳ内のＣ個の制御チャネル候補から成る探索空間、および、
集約レベル８を有する、上記ＰＤＣＣＨ  ＵＥＳＳ内のＤ個の制御チャネル候補から成る探索空間
といった探索空間のうちの少なくとも１つを含み、Ａは６未満の正の整数であり、Ｂは６未満の正の整数であり、Ｃは１または２であり、Ｄは１または２である、項目２４から２６の何れか一項に記載の端末デバイス。
（項目２８）
第１の探索空間および第２の探索空間のうちの少なくとも一方を決定するように構成されている処理ユニットであって、上記第１の探索空間は、上記第２の探索空間の一部である、処理ユニットと、
上記少なくとも１つの探索空間において少なくとも１つのダウンリンク制御情報ＤＣＩを送信するように構成されている送信ユニットであって、上記少なくとも１つのＤＣＩは、第１タイプのＤＣＩおよび第２タイプのＤＣＩのうちの少なくとも一方であり、上記第１タイプのＤＣＩは、上記第１の探索空間により搬送され、上記第２タイプのＤＣＩは、上記第２の探索空間により搬送され、上記第１タイプのＤＣＩは、第１の時間長のデータ伝送をスケジューリングするために使用され、上記第２タイプのＤＣＩは、第２の時間長のデータ伝送をスケジューリングするために使用され、上記第１の時間長は、上記第２の時間長より短い、送信ユニットと
を備えるネットワークデバイス。
（項目２９）
上記第２の時間長は、１ｍｓであり、
上記第２の探索空間は、物理ダウンリンク制御チャネル・共通探索空間ＰＤＣＣＨ  ＣＳＳおよび物理ダウンリンク制御チャネル・ユーザ機器固有探索空間ＰＤＣＣＨ  ＵＥＳＳを含む、項目２８に記載のネットワークデバイス。
（項目３０）
上記第１タイプのＤＣＩは、少なくとも第１のＤＣＩを含み、
上記第２タイプのＤＣＩは、少なくとも第２のＤＣＩを含み、
上記第１のＤＣＩの情報ビット数が、上記第２のＤＣＩの情報ビット数と同じである、項目２９に記載のネットワークデバイス。
（項目３１）
上記送信ユニットは更に、上記第２の探索空間において少なくともＤＣＩフォーマット１Ａの第２のＤＣＩを送信するように構成される、項目３０に記載のネットワークデバイス。
（項目３２）
上記送信ユニットは更に、上位層シグナリングを送信するように構成され、上記上位層シグナリングは、上記第１の探索空間の集約レベルおよび制御チャネル候補数のうちの少なくとも一方を示す、項目２８から３１の何れか一項に記載のネットワークデバイス。
（項目３３）
上記第１の探索空間は、上記ＰＤＣＣＨ  ＵＥＳＳ内の制御チャネル候補のうちの一部から成る探索空間である、項目２８から３２の何れか一項に記載のネットワークデバイス。
（項目３４）
上記第１の探索空間は、上記ＰＤＣＣＨ  ＣＳＳと、上記ＰＤＣＣＨ  ＵＥＳＳ内の制御チャネル候補のうちの一部から成る探索空間とを含み、
上記第１タイプのＤＣＩは、少なくとも上記第１のＤＣＩおよび第３のＤＣＩを含み、
上記第１のＤＣＩは、上記第３のＤＣＩに基づいて上記第１の時間長のデータ伝送を実行するよう上記端末デバイスに指示する情報を含む、項目２８から３２の何れか一項に記載のネットワークデバイス。
（項目３５）
上記送信ユニットは更に、上記ＰＤＣＣＨ  ＣＳＳにおいて上記第３のＤＣＩを送信すること、または、上記ＰＤＣＣＨ  ＵＥＳＳ内の制御チャネル候補のうちの一部から成る上記探索空間において上記第１のＤＣＩを送信すること、または、上記ＰＤＣＣＨ  ＣＳＳにおいて上記第３のＤＣＩを送信し、上記ＰＤＣＣＨ  ＵＥＳＳ内の制御チャネル候補のうちの一部から成る上記探索空間において上記第１のＤＣＩを送信することを行うように構成される、項目３４に記載の無線通信デバイス。
（項目３６）
上記ＰＤＣＣＨ  ＵＥＳＳ内の制御チャネル候補のうちの一部から成る上記探索空間は少なくとも、
集約レベル１を有する、上記ＰＤＣＣＨ  ＵＥＳＳ内のＡ個の制御チャネル候補から成る探索空間、または、
集約レベル２を有する、上記ＰＤＣＣＨ  ＵＥＳＳ内のＢ個の制御チャネル候補から成る探索空間、または、
集約レベル４を有する、上記ＰＤＣＣＨ  ＵＥＳＳ内のＣ個の制御チャネル候補から成る探索空間、または、
集約レベル８を有する、上記ＰＤＣＣＨ  ＵＥＳＳ内のＤ個の制御チャネル候補から成る探索空間
を含み、Ａは６未満の正の整数であり、Ｂは６未満の正の整数であり、Ｃは１または２であり、Ｄは１または２である、項目３３から３５の何れか一項に記載のネットワークデバイス。
（項目３７）
命令を備えるコンピュータ可読記憶媒体であって、上記命令がコンピュータで実行されると、上記コンピュータは、項目１から９の何れか一項に記載の方法を実行する、または、上記コンピュータは、項目１０から１８の何れか一項に記載の方法を実行する、コンピュータ可読記憶媒体。
（項目３８）
コンピュータプログラム製品であって、上記コンピュータプログラム製品がコンピュータで実行されると、上記コンピュータは、項目１から９の何れか一項に記載の方法を実行する、または、上記コンピュータは、項目１０から１８の何れか一項に記載の方法を実行する、コンピュータプログラム製品。
（項目３９）
メモリと、プロセッサと、上記メモリに記憶され、かつ、上記プロセッサで実行され得る、コンピュータプログラムとを備える通信デバイスであって、上記プログラムを実行すると、上記プロセッサは、項目１から９の何れか一項に記載の方法を実装する、または、項目１０から１８の何れか一項に記載の方法を実装する、通信デバイス。
【国際調査報告】
2020501411.tif 000009
2020501411.tif 000010
2020501411.tif 000011
2020501411.tif 000012